(57)【要約】【課題】無線通信システムにおいて端末が制御情報を受信する方法及び装置を提供する。【解決手段】この方法は、再設定下りリンク制御情報（Ｒｅｃｏｎｆｉｇｕｒａｔｉｏｎ  Ｄｏｗｎｌｉｎｋ  Ｃｏｎｔｒｏｌ  Ｉｎｆｏｒｍａｔｉｏｎ、再設定ＤＣＩ）を受信するステップを有し、再設定ＤＣＩは、端末が含まれた端末グループに関する複数の再設定（ｒｅｃｏｎｆｉｇｕｒａｔｉｏｎ）で構成され、再設定ＤＣＩのために定義されたＲＮＴＩ（ｒａｄｉｏ  ｎｅｔｗｏｒｋ  ｔｅｍｐｏｒａｒｙ  ｉｄｅｎｔｉｆｉｅｒ）に基づいて受信されるように設定されたことを特徴とする。【選択図】図１８
2016514382.tif 000002
【特許請求の範囲】
【請求項１】
無線通信システムにおいて端末が制御情報を受信する方法であって、
再設定下りリンク制御情報（再設定ＤＣＩ）を受信するステップを有し、
前記再設定ＤＣＩは、前記端末が含まれた端末グループに関する複数の再設定で構成され、再設定ＤＣＩのために定義されたＲＮＴＩに基づいて受信されるように設定される、制御情報受信方法。
【請求項２】
前記再設定ＤＣＩは、プライマリセルの共通検索領域で送信されるように設定される、請求項１に記載の制御情報受信方法。
【請求項３】
前記再設定ＤＣＩのために定義されたＲＮＴＩは、前記端末グループに対して同一に設定される、請求項１に記載の制御情報受信方法。
【請求項４】
前記再設定ＤＣＩのために定義されたＲＮＴＩは、端末−特定ＲＲＣシグナリングを通じて設定される、請求項３に記載の制御情報受信方法。
【請求項５】
前記複数の再設定のためのビットの個数が、前記再設定ＤＣＩを構成するビットの個数よりも少ない場合、前記再設定ＤＣＩを構成するビットのうち、使用されないビットは、特定値に設定される、請求項１に記載の制御情報受信方法。
【請求項６】
前記特定値は、前記端末で仮想ＣＲＣと見なされる、請求項５に記載の制御情報受信方法。
【請求項７】
前記複数の再設定の個数は、上位層シグナリング或いは物理層シグナリングを通じて指示される、請求項５に記載の制御情報受信方法。
【請求項８】
前記再設定ＤＣＩを構成するビットの個数は、上位層シグナリング或いは物理層シグナリングを通じて指示される、請求項５に記載の制御情報受信方法。
【請求項９】
前記複数の再設定のそれぞれの位置は、互いに異なるように設定される、請求項５に記載の制御情報受信方法。
【請求項１０】
前記複数の再設定のそれぞれの位置に関する情報は、端末−特定（シグナリングを通じて指示される、請求項９に記載の制御情報受信方法。
【請求項１１】
無線通信システムにおいて制御情報を受信する端末であって、
無線周波数ユニットと、
プロセッサと、
を備え、
前記プロセッサは、再設定下りリンク制御情報（再設定ＤＣＩ）を受信するように構成され、
前記再設定ＤＣＩは、前記端末が含まれた端末グループに関する複数の再設定で構成され、再設定ＤＣＩのために定義されたＲＮＴＩに基づいて受信されるように設定される、端末。
【発明の詳細な説明】
【技術分野】
【０００１】
本発明は、無線通信システムに関し、特に、無線通信システムにおいて端末が下りリンク制御情報を受信する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明の目的は、無線通信システムにおいて端末が下りリンク制御情報を受信する方法及びそのための装置を提供することにある。
【０００８】
本発明で遂げようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
上記の問題点を解決するための本発明の一様相である、無線通信システムにおいて端末が制御情報を受信する方法は、再設定下りリンク制御情報（Ｒｅｃｏｎｆｉｇｕｒａｔｉｏｎ  Ｄｏｗｎｌｉｎｋ  Ｃｏｎｔｒｏｌ  Ｉｎｆｏｒｍａｔｉｏｎ、再設定ＤＣＩ）を受信するステップを有し、前記再設定ＤＣＩは、前記端末が含まれた端末グループに関する複数の再設定（ｒｅｃｏｎｆｉｇｕｒａｔｉｏｎ）で構成され、再設定ＤＣＩのために定義されたＲＮＴＩ（ｒａｄｉｏ  ｎｅｔｗｏｒｋ  ｔｅｍｐｏｒａｒｙ  ｉｄｅｎｔｉｆｉｅｒ）に基づいて受信されるように設定されたことを特徴とする。
【００１０】
また、前記再設定ＤＣＩは、プライマリセル（Ｐｒｉｍａｒｙ  Ｃｅｌｌ、ＰＣｅｌｌ）の共通検索領域（Ｃｏｍｍｏｎ  Ｓｅａｒｃｈ  Ｓｐａｃｅ、ＣＳＳ）で送信されるように設定されたことを特徴とする。
【００１１】
また、前記再設定ＤＣＩのために定義されたＲＮＴＩは、前記端末グループに対して同一に設定されたことを特徴とする。好適には、前記再設定ＤＣＩのために定義されたＲＮＴＩは、端末−特定（ＵＥ−Ｓｐｅｃｉｆｉｃ）ＲＲＣシグナリングを通じて設定されることを特徴とする。
【００１２】
また、前記複数の再設定（ｒｅｃｏｎｆｉｇｕｒａｔｉｏｎ）のためのビットの個数が前記再設定ＤＣＩを構成するビットの個数よりも少ない場合、前記再設定ＤＣＩを構成するビットのうち、使用されないビットは、特定値に設定されることを特徴とする。
【００１３】
また、前記特定値は、前記端末で仮想ＣＲＣ（Ｖｉｒｔｕａｌ  ＣＲＣ）と見なされることを特徴とする。
【００１４】
また、前記複数の再設定の個数は、上位層シグナリング或いは物理層シグナリングを通じて指示されることを特徴とする。
【００１５】
また、前記再設定ＤＣＩを構成するビットの個数は、上位層シグナリング或いは物理層シグナリングを通じて指示されることを特徴とする。
【００１６】
また、前記複数の再設定のそれぞれの位置は、互いに異なるように設定されたことを特徴とする。なお、前記複数の再設定のそれぞれの位置に関する情報は、端末−特定（ＵＥ−Ｓｐｅｃｉｆｉｃ）シグナリングを通じて指示されることを特徴とする。
【００１７】
上記の問題点を解決するための本発明の他の様相である、無線通信システムにおいて制御情報を受信する端末は、無線周波数ユニット（Ｒａｄｉｏ  Ｆｒｅｑｕｅｎｃｙ  Ｕｎｉｔ）と、プロセッサ（Ｐｒｏｃｅｓｓｏｒ）とを備え、前記プロセッサは、再設定下りリンク制御情報（Ｒｅｃｏｎｆｉｇｕｒａｔｉｏｎ  Ｄｏｗｎｌｉｎｋ  Ｃｏｎｔｒｏｌ  Ｉｎｆｏｒｍａｔｉｏｎ、再設定ＤＣＩ）を受信するように構成され、前記再設定ＤＣＩは、前記端末が含まれた端末グループに関する複数の再設定（ｒｅｃｏｎｆｉｇｕｒａｔｉｏｎ）で構成され、再設定ＤＣＩのために定義されたＲＮＴＩ（ｒａｄｉｏ  ｎｅｔｗｏｒｋ  ｔｅｍｐｏｒａｒｙ  ｉｄｅｎｔｉｆｉｅｒ）に基づいて受信されるように設定されることを特徴とする。
【発明の効果】
【００１８】
本発明によれば、無線通信システムにおいて端末が下りリンク制御信号を效率的に受信することができる。
【００１９】
本発明で得られる効果は、以上で言及した効果に制限されず、言及していない他の効果は、以下の記載から、本発明の属する技術の分野における通常の知識を有する者には明確に理解されるであろう。
【００２０】
本発明に関する理解を助けるために詳細な説明の一部として含まれる添付の図面は、本発明に関する実施例を提供し、詳細な説明と共に本発明の技術的思想を説明する。
【図面の簡単な説明】
【００２１】
【図１】無線通信システムの一例としてＥ−ＵＭＴＳネットワーク構造を示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。
【図３】３ＧＰＰ ＬＴＥシステムに用いられる物理チャネル及びそれらを用いた一般的な信号送信方法を示す図である。
【図４】ＬＴＥシステムで用いられる無線フレームの構造を示す図である。
【図５】下りリンクスロットのリソースグリッド（ｒｅｓｏｕｒｃｅ  ｇｒｉｄ）を示す図である。
【図６】下りリンクサブフレームの構造を例示する図である。
【図７】ＬＴＥシステムにおいて下りリンク制御チャネルを構成するために用いるリソース単位を示す図である。
【図８】キャリア併合（Ｃａｒｒｉｅｒ  Ａｇｇｒｅｇａｔｉｏｎ、ＣＡ）通信システムを例示する図である。
【図９】複数のキャリアが併合された場合のスケジューリングを例示する図である。
【図１０】ＥＰＤＣＣＨ、及びＥＰＤＣＣＨによってスケジュールされるＰＤＳＣＨを例示する図である。
【図１１】ＣｏＭＰを行う一例を示す図である。
【図１２】ＴＤＤシステム環境下で無線リソースの用途を動的変更する場合を示す図である。
【図１３】本発明に係る、用途変更情報（例、用途変更指示子）送信の目的で定義されたフォーマットを示す図である。
【図１４】本発明に係る、事前に定義されたフォーマットを通じて送信される複数個のセルに対する用途変更情報と複数個のセル−特定的情報状態との連動設定を示す図である。
【図１５】本発明に係る、事前に定義されたフォーマットを通じて送信される複数個のセルに対する用途変更情報と複数個のセル−特定的情報状態との連動設定を示す図である。
【図１６】本発明に係る、事前に定義されたフォーマットを通じて送信される複数個のセルに対する用途変更情報と複数個のセル−特定的情報状態との連動設定を示す図である。
【図１７】本発明に係る、上りリンク−下りリンク再設定のための新しいＤＣＩを示す図である。
【図１８】本発明の好適な実施例に係る信号送受信方法を示す図である。
【図１９】本発明の実施例に適用可能な基地局及びユーザ機器を例示する図である。
【発明を実施するための形態】
【００２２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００２３】
説明を明確にするために、３ＧＰＰ ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２４】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２５】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２６】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００２７】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２８】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２９】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３０】
図３は、３ＧＰＰ ＬＴＥシステムに用いられる物理チャネル及びそれらを用いた一般的な信号送信方法を説明するための図である。
【００３１】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ ＲＳ）を受信して下りリンクチャネル状態を確認することができる。
【００３２】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００３３】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００３４】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００３５】
図４は、ＬＴＥシステムで用いられる無線フレームの構造を例示する図である。
【００３６】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３７】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００３８】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３９】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４０】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００４１】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００４２】
上記の特別サブフレームに関して現在３ＧＰＰ標準文書では下記の表１のように設定を定義している。
【００４３】
【数１】
2016514382.tif 000003
【表１】
2016514382.tif 000004
【００４４】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【表２】
2016514382.tif 000005
【００４５】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００４６】
上述した無線フレームの構造は例示に過ぎず、無線フレームに含まれるサブフレームの数、サブフレームに含まれるスロットの数、又はスロットに含まれるシンボルの数は様々に変更されてもよい。
【００４７】
図５は、下りリンクスロットのリソースグリッド（ｒｅｓｏｕｒｃｅ  ｇｒｉｄ）を例示する。
【００４８】
【数２】
2016514382.tif 000006
【００４９】
【数３】
2016514382.tif 000007
【００５０】
図６は、下りリンクサブフレームの構造を例示する。
【００５１】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５２】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００５３】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定ユーザ機器のためのものであれば、該当のユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）をＣＲＣにマスクすることができる。
【００５４】
図７は、ＬＴＥシステムにおいて下りリンク制御チャネルを構成するために用いるリソース単位を示す図である。特に、図７の（ａ）は、基地局の送信アンテナの個数が１又は２である場合を示し、図７の（ｂ）は、基地局の送信アンテナの個数が４である場合を示している。送信アンテナの個数によってＲＳ（Ｒｅｆｅｒｅｎｃｅ  Ｓｉｇｎａｌ）パターンが異なってくるだけで、制御チャネルと関連したリソース単位の設定方法は同一である。
【００５５】
図７を参照すると、下りリンク制御チャネルの基本リソース単位はＲＥＧ（Ｒｅｓｏｕｒｃｅ  Ｅｌｅｍｅｎｔ  Ｇｒｏｕｐ）である。ＲＥＧは、ＲＳを除いた状態で４個の隣接したリソース要素（ＲＥ）で構成される。同図で、ＲＥＧは太線で表されている。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔｓ）単位で構成され、１個のＣＣＥは９個のＲＥＧを含む。
【００５６】
端末は、自身にＬ個のＣＣＥからなるＰＤＣＣＨが送信されるかを確認するために、Ｍ（Ｌ）（≧Ｌ）個の連続しているか又は特定規則で配置されたＣＣＥを確認するように設定される。端末がＰＤＣＣＨ受信のために考慮すべきＬ値は複数であってもよい。端末がＰＤＣＣＨ受信のために確認すべきＣＣＥ集合を検索領域（ｓｅａｒｃｈ  ｓｐａｃｅ）という。一例として、ＬＴＥシステムでは検索領域を表３のように定義している。
【表３】
2016514382.tif 000008
【００５７】
ここで、ＣＣＥ集成レベルＬは、ＰＤＣＣＨを構成するＣＣＥ個数を表し、Ｓk(L)は、ＣＣＥ集成レベルＬの検索領域を表し、Ｍ(L)は、集成レベルＬの検索領域でモニタすべき候補ＰＤＣＣＨの個数を表す。
【００５８】
検索領域は、特定端末にのみ接近が許容される端末特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別することができる。端末は、ＣＣＥ集成レベルが４及び８である共通検索領域をモニタし、ＣＣＥ集成レベルが１、２、４及び８である端末−特定検索領域をモニタする。共通検索領域及び端末特定検索領域はオーバーラップされてもよい。
【００５９】
また、各ＣＣＥ集成レベル値に対して、任意の端末に与えられるＰＤＣＣＨ検索領域で最初の（最小のインデックスを有する）ＣＣＥの位置は、端末によって毎サブフレームごとに変化する。これをＰＤＣＣＨ検索領域ハッシュ（ｈａｓｈｉｎｇ）という。
【００６０】
上記ＣＣＥはシステム帯域に分散されてもよい。より具体的に、論理的に連続した複数のＣＣＥがインターリーバ（ｉｎｔｅｒｌｅａｖｅｒ）に入力されてもよく、このインターリーバは、入力された複数のＣＣＥをＲＥＧ単位に混ぜる機能を果たす。このため、一つのＣＣＥを構成する周波数／時間リソースは、物理的にサブフレームの制御領域内で全体の周波数／時間領域に分散して存在する。その結果、制御チャネルはＣＣＥ単位で構成されるが、インターリービングはＲＥＧ単位に行われるため、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化することができる。
【００６１】
図８は、キャリア併合（Ｃａｒｒｉｅｒ  Ａｇｇｒｅｇａｔｉｏｎ、ＣＡ）通信システムを例示する図である。
【００６２】
図８を参照すると、複数の上りリンク／下りリンクコンポーネントキャリア（Ｃｏｍｐｏｎｅｎｔ  Ｃａｒｒｉｅｒ、ＣＣ）を束ねてより広い上りリンク／下りリンク帯域幅を支援することができる。「コンポーネントキャリア（ＣＣ）」は、等価の他の用語（例、キャリア、セルなど）に代えてもよい。それぞれのＣＣは、周波数領域で互いに隣接しても非−隣接してもよい。各コンポーネントキャリアの帯域幅は独立して定められてもよい。ＵＬ ＣＣの個数とＤＬ ＣＣの個数とが異なる非対称搬送波集成も可能である。一方、制御情報は特定ＣＣでのみ送受信されるように設定されてもよい。このような特定ＣＣを、プライマリＣＣ（又は、アンカーＣＣ）と称し、残りのＣＣをセカンダリＣＣと呼ぶことができる。
【００６３】
クロス−キャリアスケジューリング（又は、クロス−ＣＣスケジューリング）が適用される場合、下りリンク割当てのためのＰＤＣＣＨは、ＤＬ ＣＣ＃０を通じて送信し、該当するＰＤＳＣＨは、ＤＬ ＣＣ＃２を通じて送信することができる。クロス−ＣＣスケジューリングのために、キャリア指示フィールド（ｃａｒｒｉｅｒ  ｉｎｄｉｃａｔｏｒ  ｆｉｅｌｄ、ＣＩＦ）の導入を考慮することができる。ＰＤＣＣＨ内にＣＩＦが存在するか否かは、上位層シグナリング（例、ＲＲＣシグナリング）によって半−静的及び端末−特定（又は、端末グループ−特定）に設定することができる。ＰＤＣＣＨ送信のベースラインを要約すると、次のとおりである。
【００６４】
＊  ＣＩＦディセーブルド（ｄｉｓａｂｌｅｄ）：ＤＬ ＣＣ上のＰＤＣＣＨは、同一のＤＬ ＣＣ上のＰＤＳＣＨリソースを割り当てたり、一つのリンクされたＵＬ ＣＣ上のＰＵＳＣＨリソースを割り当てる
・  Ｎｏ ＣＩＦ
・  ＬＴＥ ＰＤＣＣＨ構造（同じ符号化、同じＣＣＥ−ベースのリソースマッピング）及びＤＣＩフォーマットと同一である
＊  ＣＩＦイネーブルド（ｅｎａｂｌｅｄ）：ＤＬ ＣＣ上のＰＤＣＣＨは、ＣＩＦを用いて、複数の併合されたＤＬ／ＵＬ ＣＣのうちの特定ＤＬ／ＵＬ ＣＣ上のＰＤＳＣＨ又はＰＵＳＣＨリソースを割り当てることができる
・  ＣＩＦを有する拡張されたＬＴＥ ＤＣＩフォーマット
−  ＣＩＦ（設定される場合）は、固定されたｘ−ビットフィールド（例、ｘ＝３）
−  ＣＩＦ（設定される場合）位置は、ＤＣＩフォーマットサイズにかかわらず固定される
・  ＬＴＥ ＰＤＣＣＨ構造を再使用（同じ符号化、同じＣＣＥ−ベースのリソースマッピング）
【００６５】
ＣＩＦが存在する場合、基地局は端末側のＢＤ複雑度を下げるために、ＰＤＣＣＨモニタリングＤＬ ＣＣセットを割り当てることができる。ＰＤＣＣＨモニタリングＤＬ ＣＣセットは、併合された全体ＤＬ ＣＣの一部であって、一つ以上のＤＬ ＣＣを含む。端末は、当該ＤＬ ＣＣ上でのみＰＤＣＣＨの検出／復号化を行う。すなわち、基地局が端末にＰＤＳＣＨ／ＰＵＳＣＨをスケジュールする場合、ＰＤＣＣＨはＰＤＣＣＨモニタリングＤＬ ＣＣセットでのみ送信される。ＰＤＣＣＨモニタリングＤＬ ＣＣセットは、端末−特定（ＵＥ−ｓｐｅｃｉｆｉｃ）、端末−グループ−特定、又はセル−特定（ｃｅｌｌ−ｓｐｅｃｉｆｉｃ）に設定することができる。「ＰＤＣＣＨモニタリングＤＬ ＣＣ」は、モニタリングキャリア、モニタリングセルなどの等価の用語に代えてもよい。また、端末のために併合されたＣＣは、サービングＣＣ、サービングキャリア、サービングセルなどの等価の用語に代えてもよい。
【００６６】
図９は、複数のキャリアが併合された場合のスケジューリングを例示する図である。３個のＤＬ ＣＣが併合されているとする。ＤＬ ＣＣ ＡがＰＤＣＣＨモニタリングＤＬ ＣＣとして設定されているとする。ＤＬ ＣＣ Ａ〜Ｃは、サービングＣＣ、サービングキャリア、サービングセルなどと呼ぶことができる。ＣＩＦがディセーブルされた場合、それぞれのＤＬ ＣＣは、ＬＴＥ ＰＤＣＣＨ設定によってＣＩＦ無しで自身のＰＤＳＣＨをスケジュールするＰＤＣＣＨのみを送信することができる。一方、端末−特定（又は、端末−グループ−特定又はセル−特定）上位層シグナリングによってＣＩＦがイネーブルされた場合には、ＤＬ ＣＣ Ａ（モニタリングＤＬ ＣＣ）は、ＣＩＦを用いて、ＤＬ ＣＣ ＡのＰＤＳＣＨをスケジュールするＰＤＣＣＨだけでなく、他のＣＣのＰＤＳＣＨをスケジュールするＰＤＣＣＨも送信することができる。この場合、ＰＤＣＣＨモニタリングＤＬ ＣＣとして設定されていないＤＬ ＣＣ Ｂ／Ｃでは、ＰＤＣＣＨが送信されない。このため、ＤＬ ＣＣ Ａ（モニタリングＤＬ ＣＣ）は、ＤＬ ＣＣ Ａと関連したＰＤＣＣＨ検索領域、ＤＬ ＣＣ Ｂと関連したＰＤＣＣＨ検索領域、及びＤＬ ＣＣ Ｃと関連したＰＤＣＣＨ検索領域を全て含まなければならない。本明細書で、ＰＤＣＣＨ検索領域はキャリア別に定義されると仮定する。
【００６７】
上述したとおり、ＬＴＥ−Ａは、クロス−ＣＣスケジューリングのためにＰＤＣＣＨ内でＣＩＦ使用を考慮している。ＣＩＦが使用されるか否か（すなわち、クロス−ＣＣスケジューリングモード又はノン−クロス−ＣＣスケジューリングモードの支援）及びモード間切替は、ＲＲＣシグナリングによって半−静的／端末−特定に設定することができる。このＲＲＣシグナリング過程から、端末は、自身にスケジュールされるＰＤＣＣＨ内にＣＩＦが用いられるか否かが確認できる。
【００６８】
図１０は、ＥＰＤＣＣＨ、及びＥＰＤＣＣＨによってスケジュールされるＰＤＳＣＨを例示する図である。
【００６９】
図１０を参照すると、ＥＰＤＣＣＨは、一般に、データを送信するＰＤＳＣＨ領域の一部分を定義して使用することができ、端末は、自身のＥＰＤＣＣＨを検出するためのブラインドデコーディング（ｂｌｉｎｄ  ｄｅｃｏｄｉｎｇ）過程を行わなければならない。ＥＰＤＣＣＨは、既存のレガシーＰＤＣＣＨと同一のスケジューリング動作（すなわち、ＰＤＳＣＨ、ＰＵＳＣＨ制御）を行うが、ＲＲＨのようなノードに接続した端末の個数が増加すると、より多数のＥＰＤＣＣＨがＰＤＳＣＨ領域に割り当てられるため、端末の行うべきブラインドデコーディングの回数は増加し、複雑度が増加するという短所がある。
【００７０】
以下では、ＣｏＭＰ（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ）について説明する。
【００７１】
ＬＴＥ−Ａ以降のシステムは、複数のセル間の協調を可能にしてシステムの性能を上げる方式を導入しようとしている。このような方式を、協調多重ポイント送信／受信（Ｃｏｏｐｅｒａｔｉｖｅ  Ｍｕｌｔｉｐｏｉｎｔ  Ｔｒａｎｓｍｉｓｓｉｏｎ／Ｒｅｃｅｐｔｉｏｎ：ＣｏＭＰ）という。ＣｏＭＰは、特定端末と基地局、アクセス（Ａｃｃｅｓｓ）ポイント或いはセル（Ｃｅｌｌ）との通信をより円滑にするために、２個以上の基地局、アクセスポイント或いはセルが互いに協調して端末と通信する方式を意味する。本発明で、基地局、アクセス、或いはセルは同じ意味で使われてもよい。
【００７２】
一般に、周波数再使用因子（ｆｒｅｑｕｅｎｃｙ  ｒｅｕｓｅ  ｆａｃｔｏｒ）が１である多重セル環境で、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少する。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉によって制限を受けた環境でセル−境界に位置している端末に適切な収率性能を有させる方法が適用されている。しかしながら、セル当たり周波数リソース使用を減少するよりは、ＩＣＩを低減したり、ＩＣＩを端末の希望する信号として再利用したりする方が好ましいだろう。このような目的を達成するために、ＣｏＭＰ送信技法を適用することができる。
【００７３】
図１１は、ＣｏＭＰを行う一例を示す。図８を参照すると、無線通信システムは、ＣｏＭＰを行う複数の基地局ＢＳ１，ＢＳ２，ＢＳ３と端末とを含む。ＣｏＭＰを行う複数の基地局ＢＳ１，ＢＳ２，ＢＳ３は互いに協調して端末にデータを效率的に送信することができる。ＣｏＭＰは、ＣｏＭＰを行う各基地局からデータ送信をするか否かによって、次の２つの技法に大別することができる：
−  ジョイントプロセシング（Ｊｏｉｎｔ  Ｐｒｏｃｅｓｓｉｎｇ）（ＣｏＭＰ  Ｊｏｉｎｔ  Ｐｒｏｃｅｓｓｉｎｇ：ＣｏＭＰ−ＪＰ）
−  協調的スケジューリング／ビームフォーミング（ＣｏＭＰ−ＣＳ／ＣＢ、ＣｏＭＰ  Ｃｏｏｐｅｒａｔｉｖｅ  ｓｃｈｅｄｕｌｉｎｇ：ＣｏＭＰ−ＣＳ）
【００７４】
ＣｏＭＰ−ＪＰの場合、一つの端末へのデータが、ＣｏＭＰを行う各基地局から同時に送信され、端末は、各基地局からの信号を結合して受信性能を向上させる。すなわち、ＣｏＭＰ−ＪＰ技法は、ＣｏＭＰ協調単位のそれぞれのポイント（基地局）でデータを用いることができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類することができる。
【００７５】
ジョイント送信技法とは、ＰＤＳＣＨが一度に複数個のポイント（ＣｏＭＰ協調単位の一部又は全部）から送信される技法をいう。すなわち、単一の端末に送信されるデータを複数個の送信ポイントから同時に送信することができる。ジョイント送信技法によれば、コヒーレントに（ｃｏｈｅｒｅｎｔｌｙ）又はノンーコヒーレントに（ｎｏｎ−ｃｏｈｅｒｅｎｔｌｙ）受信信号の品質を向上させることができ、また、他の端末に対する干渉を能動的に消去することができる。
【００７６】
動的セル選択技法とは、ＰＤＳＣＨが一度に（ＣｏＭＰ協調単位の）一つのポイントから送信される技法をいう。すなわち、特定時点で単一の端末に送信されるデータは、一つのポイントから送信され、その時点に、協調単位における他のポイントは当該端末にデータを送信しない。当該端末にデータを送信するポイントは、動的に選択することができる。
【００７７】
一方、ＣｏＭＰ−ＣＳの場合、一つの端末へのデータは、任意の瞬間に一つの基地局から送信され、他の基地局による干渉が最小化するようにスケジューリング或いはビームフォーミング（Ｂｅａｍｆｏｒｍｉｎｇ）がなされる。すなわち、ＣｏＭＰ−ＣＳ／ＣＢ技法によれば、ＣｏＭＰ協調単位が単一端末に対するデータ送信のビームフォーミングを協調的に行うことができる。ここで、データはサービングセルでのみ送信されるが、ユーザスケジューリング／ビームフォーミングは、当該ＣｏＭＰ協調単位のセルの調整によって決定することができる。
【００７８】
一方、上りリンクにおいて、調整（ｃｏｏｒｄｉｎａｔｅｄ）多重−ポイント受信は、地理的に離れている複数個のポイントの調整によって送信された信号を受信することを意味する。上りリンクの場合に適用可能なＣｏＭＰ技法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに分類することができる。
【００７９】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【００８０】
以下では、複数のセル間の干渉について説明する。
【００８１】
２つの基地局（例えば、基地局＃１及び基地局＃２）が隣接して配置される場合のように、２つの基地局のカバレッジの一部が重なる場合、一つの基地局からサービスを受ける端末に対して、他の基地局からの強い下りリンク信号が干渉を誘発しうる。このようにセル間干渉が発生する場合に、２つの基地局間にセル間協調信号方式を用いてセル間干渉を低減させることができる。以下に説明する本発明の様々な実施例において、互いに干渉する２つの基地局間に信号送受信が円滑である場合を仮定する。例えば、２つの基地局間に送信帯域幅や時間遅延などの送信条件が良好な有／無線リンク（例えば、バックホールリンク又はＵｎインターフェース）が存在し、基地局間における協調信号の送受信に対する信頼性が高い場合を仮定する。また、２つの基地局間の時間同期（ｔｉｍｅ  ｓｙｎｃｈｒｏｎｉｚａｔｉｏｎ）が許容可能な誤差範囲内で一致したり（例えば、互いに干渉する２つの基地局の下りリンクサブフレームの境界が整列（ａｌｉｇｎ）されている場合）、両基地局間のサブフレーム境界の差（ｏｆｆｓｅｔ）を相互明確に認識している場合を仮定することができる。
【００８２】
図１１を再び参照すると、基地局＃１（ＢＳ＃１）は、広い領域を高い送信電力でサービスするマクロ基地局とし、基地局＃２（ＢＳ＃２）は、狭い領域を低い送信電力でサービスするマイクロ基地局（例えば、ピコ基地局）としている。図１１で例示するように、基地局＃２のセル境界地域に位置して基地局＃２からサービスを受ける端末（ＵＥ）が基地局＃１から強い干渉を受ける場合、適切なセル間協調無しでは効果的に通信し難い。
【００８３】
特に、低い電力を有するマイクロ基地局である基地局＃２に多数の端末を接続させることで、マクロ基地局である基地局＃１がサービスを提供する負荷（ｌｏａｄ）を分散させようとする場合に、上記のようなセル間干渉の状況が発生する可能性が高い。例えば、端末がサービング基地局を選定するとき、マイクロ基地局からの受信電力には所定の調整値（バイアス（ｂｉａｓ）値）を加え、マクロ基地局からの受信電力には調整値を加えない方式で、それぞれの基地局からの下りリンク信号の受信電力を計算及び比較することができ、その結果、端末は、最も高い下りリンク受信電力を提供する基地局をサービング基地局として選定することができる。これによって、より多数の端末をマイクロ基地局に接続させることができる。端末が実際に受信する下りリンク信号強度は、マクロ基地局からの信号がより遥かに強いにもかかわらず、マイクロ基地局がサービング基地局として選ばれてもよく、マイクロ基地局に接続した端末はマクロ基地局からの強い干渉を経験しうる。このような場合、マイクロ基地局の境界に位置している端末は、別のセル間協調が提供されないと、マクロ基地局からの強い干渉によって正しい動作を行い難くなる。
【００８４】
セル間干渉が存在する場合にも効果的な動作を行うために、セル間干渉が互いに発生する２つの基地局間に適切な協調が行わなければならず、このような協調動作を可能にする信号を両基地局間のリンクを介して送受信することができる。この場合、セル間干渉がマクロ基地局とマイクロ基地局間に発生する場合には、マクロ基地局がセル間協調動作を制御し、マイクロ基地局は、マクロ基地局が知らせる協調信号によって適切な動作を行うこともできる。
【００８５】
上記のようなセル間干渉発生状況は単なる例示に過ぎず、本発明で説明する実施例は、上記と異なる状況でセル間干渉が発生する場合（例えば、ＣＳＧ方式のＨｅＮＢとＯＳＧ方式のマクロ基地局間にセル間干渉が発生する場合、マイクロ基地局が干渉を誘発してマクロ基地局が干渉を受ける場合、又はマイクロ基地局間に又はマクロ基地局間にセル間干渉が存在する場合など）にも同一に適用することができる。
【００８６】
図１２は、ＴＤＤシステム環境下で、特定セルが、システムの下りリンク負荷量が増加することから、既存の上りリンクリソース（すなわち、ＵＬ ＳＦ）の一部を下りリンク通信用途へと変更して用いる場合を示している。
【００８７】
図１２で、ＳＩＢによって設定された上りリンク−下りリンク設定（ＵＬ／ＤＬ Ｃｏｎｆｉｇｕｒａｔｉｏｎ）が上りリンク−下りリンク＃１（すなわち、ＤＳＵＵＤＤＳＵＵＤ）であると仮定しており、事前に定義されたシグナル（例えば、物理／上位層シグナル或いはシステム情報シグナル）によって既存のＵＬ ＳＦ ＃（ｎ＋３）、ＵＬ ＳＦ ＃（ｎ＋８）が下りリンク通信の用途に変更されて用いられる場合を示している。
【００８８】
本発明では、前述したように、複数のセルが自身のシステム負荷状態に応じて無線リソースの用途を動的に変更する場合に、用途変更情報（例、用途変更指示子）の効率的な送／受信方法を提案する。
【００８９】
ここで、用途変更情報（例、用途変更指示子）は、ｉ）ＰＤＣＣＨ（Ｐｈｙｓｉｃａｌ  Ｄｏｗｎｌｉｎｋ  Ｃｏｎｔｒｏｌ  ＣＨａｎｎｅｌ）、又は／及びii）既存ＰＤＳＣＨ（Ｐｈｙｓｉｃａｌ  Ｄｏｗｎｌｉｎｋ  Ｓｈａｒｅｄ  ＣＨａｎｎｅｌ）領域上で送信されるＥＰＤＣＣＨ（Ｅｎｈａｎｃｅｄ  ＰＤＣＣＨ）、又は／及びiii ）ＰＢＣＨ（Ｐｈｙｓｉｃａｌ  Ｂｒｏａｄｃａｓｔ  Ｃｈａｎｎｅｌ）（例、ＭＩＢ）、又は／及びiv）上位層シグナル（例、ＲＲＣ、ＭＡＣ）、又は／及びｖ）ＳＩＢ（Ｓｙｓｔｅｍ  Ｉｎｆｏｒｍａｔｉｏｎ  Ｂｌｏｃｋ）などを用いて送信することができる。
【００９０】
また、ＰＤＳＣＨ領域は、複数のＯＦＤＭシンボルで構成されるサブフレームにおいて、（既存）ＰＤＣＣＨ送信の用途に用いられる先頭における一部のＯＦＤＭシンボルを除いた残りＯＦＤＭシンボルで構成される領域と定義される。さらに、ＰＤＣＣＨ送信の用途に用いられるＯＦＤＭシンボルが存在せず、当該サブフレームの全ＯＦＤＭシンボルがＰＤＳＣＨ領域として指定及び使用される場合にも本発明を適用することができる。
【００９１】
以下では、説明の便宜のために、３ＧＰＰ ＬＴＥシステムに基づいて提案方式を説明する。ただし、本発明が適用されるシステムの範囲は、３ＧＰＰ ＬＴＥシステムに限定されず、他のシステムにも拡張可能である。
【００９２】
また、本発明の実施例は、搬送波集成技法（Ｃａｒｒｉｅｒ  Ａｇｇｒｅｇａｔｉｏｎ、ＣＡ）が適用された環境下で特定セル（Ｃｅｌｌ）（或いは、コンポーネントキャリア（Ｃｏｍｐｏｎｅｎｔ  Ｃａｒｒｉｅｒ、ＣＣ））上のリソースをシステムの負荷状態によって動的に変更する場合にも拡張して適用することができる。
【００９３】
また、本発明の実施例は、ＴＤＤシステム、ＦＤＤシステム、或いはＴＤＤ／ＦＤＤ併合システム下で無線リソースの用途を動的に変更する場合にも拡張して適用することができる。
【００９４】
さらに、本発明の実施例は、用途変更情報（例えば、用途変更指示子）が、ｉ）端末特定的な（ＵＥ−Ｓｐｅｃｉｆｉｃ）シグナル形態、又は／及びii）セル−特定的な（Ｃｅｌｌ−Ｓｐｅｃｉｆｉｃ）シグナル形態、又は／及びiii ）端末グループ（ＵＥ  Ｇｒｏｕｐ−Ｓｐｅｃｉｆｉｃ）シグナル形態などで送信される場合においても拡張して適用することができる。ここで、用途変更情報は、ＵＳＳ（ＵＥ−Ｓｐｅｃｉｆｉｃ  Ｓｅａｒｃｈ  Ｓｐａｃｅ）又は／及びＣＳＳ（Ｃｏｍｍｏｎ  Ｓｅａｒｃｈ  Ｓｐａｃｅ）を通して送信されてもよい。
【００９５】
例えば、ＣＡ技法が適用された状況下で用途変更情報（例えば、用途変更指示子）がＣＳＳを通して送信されるということは、ＣＳＳが実際に有効なプライマリセル（Ｐｒｉｍａｒｙ  Ｃｅｌｌ）（或いは、プライマリコンポーネントキャリア（Ｐｒｉｍａｒｙ  ＣＣ））を通して用途変更情報が事前に定義されたＤＣＩフォーマットの形態で受信されることと解釈することができる。他の例として、仮にＣＡ技法が適用され、用途変更情報がＣＳＳ上のＰＤＣＣＨ（或いは、事前に定義されたＤＣＩ）（例えば、当該ＰＤＣＣＨ（或いは、事前に定義されたＤＣＩ）は、事前に追加定義された（端末グループ特定的或いは端末特定的）ＲＮＴＩによってデコード（或いは、検出）される）を介して送信されるように設定されると、セカンダリセル（Ｓｅｃｏｎｄａｒｙ  Ｃｅｌｌ）（或いは、セカンダリコンポーネントキャリア（Ｓｅｃｏｎｄａｒｙ  Ｃｏｍｐｏｎｅｎｔ  Ｃａｒｒｉｅｒ））に対する用途変更情報は、本発明の提案方式によってプライマリセル（Ｐｒｉｍａｒｙ  Ｃｅｌｌ）（或いは、プライマリコンポーネントキャリア（Ｐｒｉｍａｒｙ  Ｃｏｍｐｏｎｅｎｔ  Ｃａｒｒｉｅｒ））上のＣＳＳ上で送信される用途変更情報送信関連ＰＤＣＣＨ（或いは、事前に定義されたＤＣＩ）を介して併せて送信されると解釈することができる。
【００９６】
以下では、本発明に関する説明の便宜のために、ＴＤＤシステム環境下でそれぞれのセルが自身のシステム負荷状態によって既存の無線リソースの用途を動的に変更する状況を仮定する。
【００９７】
以下、本発明で提案する用途変更情報（例えば、用途変更指示子）に関する設定を説明する。本発明において用途変更情報は、基地局が端末に、事前に定義されたフォーマットを用いて知らせるように設定することができる。例えば、用途変更情報は、物理的制御チャネル、物理的データチャネル、上位層シグナル或いはシステム情報送信チャネルを介して送信され、端末は、事前に定義されたＲＮＴＩ（例、用途変更情報の受信のために新しく定義されたＲＮＴＩ、或いは既存の特定チャネル（情報）受信に用いられるＲＮＴＩを再利用）に基づいて該当の用途変更情報を受信することができる。ここで、用途変更情報は、既存の上りリンク−下りリンク設定上で定められた無線リソースの用途に関する再設定或いは再設定情報を含む。
【００９８】
さらに、用途変更情報（例、用途変更指示子）は、事前に定義された周期に基づいて送信されたり、或いは特定周期に基づいて同一の用途変更情報（例、用途変更指示子）が事前に定義された回数だけ反復して送信されたり、或いは特定周期内で同一の用途変更情報（例、用途変更指示子）が事前に定義された回数だけ反復して送信されることによって、信頼できる情報送信がなされるように設定することもできる。
【００９９】
また、事前に定義されたフォーマットは、特定の一つのサービングセル（或いは、ｓｅｒｖｉｎｇ  Ｔｒａｎｓｍｉｓｓｉｏｎ  Ｐｏｉｎｔ（以下、サービングＴＰ））だけでなく、複数のセル（或いは、Ｔｒａｎｓｍｉｓｓｉｏｎ  Ｐｏｉｎｔ（以下、ＴＰ））に対する用途変更情報（例、用途変更指示子）が送信されるように定義することができる。このようなフォーマットは、特に、ＣｏＭＰ動作に参加するセル（或いは、ＴＰ）が無線リソースの用途を動的に変更する場合に、特定端末（例、ＣｏＭＰ端末）に複数のセルに対する用途変更情報（例、用途変更指示子）を知らせる目的に有効である。
【０１００】
また、搬送波集成（ＣＡ）技法によって複数のセル（或いは、コンポーネントキャリア）が設定された状況下で複数のセル（例、ＳＣｅｌｌ）に対する用途変更情報（例、用途変更指示子）を送信するためにも拡張して適用することができる。例えば、複数のセル（或いは、ＴＰ）に対するサブフレームの用途に関する情報（例、ＵＬ−ＤＬ  （Ｒｅ）ｃｏｎｆｉｇｕｒａｔｉｏｎ）は、サービングセル（例、ＰＣｅｌｌ或いはスケジューリングＣｅｌｌ）の上りリンク−下りリンク設定情報と当該サービングセルの上りリンク−下りリンク設定に対するオフセット値の形態でシグナルされるように設定することもできる。ここで、２個のセル（或いは、送信ポイント）に対する上りリンク−下りリンク設定情報が送信される場合に、サービングセル（或いは、サービング送信ポイント）のための上りリンク−下りリンク設定＃０（すなわち、ＤＳＵＵＵＤＳＵＵＵ）とオフセット値２がシグナルされると、残りのセル（或いは、残りの送信ポイント）に対する上りリンク−下りリンク設定は、上りリンク−下りリンク設定＃２（すなわち、ＤＳＵＤＤＤＳＵＤＤ）と見なすことができる。また、サブフレーム用途情報に変更がないセル（或いは、ＴＰ）に対しては、事前に定義された特定ビット（或いは、当該セル或いは当該ＴＰのＳＩＢ上の上りリンク−下りリンク設定情報）が送信されるように設定することができる。なお、このような特定ビットは、特定セル（或いは、特定ＴＰ）の変更された用途情報を知らせるために必要なビットよりも少ない又は等しいビットと設定することができる。
【０１０１】
したがって、用途変更情報を受信した端末は、事前に定義された規則に基づいて、それぞれのセルに対する、ｉ）チャネル状態測定動作（例、ＲＲＭ／ＲＬＭ／ＣＳＩ）、或いはii）制御チャネル（例、ＥＰＤＣＣＨ／ＰＤＣＣＨ）モニタリング動作、或いはiii ）データチャネル（例、ＰＳＵＣＨ、ＰＤＳＣＨ）送／受信動作を效率的に行うことができる。ここで、端末が個別セルに対するチャネル状態測定動作（例、ＲＲＭ／ＲＬＭ／ＣＳＩ）を行うサブフレーム或いは制御チャネル（例、ＥＰＤＣＣＨ／ＰＤＣＣＨ）モニタリング動作を行うサブフレームは、ｉ）それぞれのセルが下りリンク用途に用いるサブフレーム集合、或いはii）ＣｏＭＰ動作に参加するセルが共通に下りリンク用途に用いるサブフレーム集合、或いはiii ）事前に定義された（下りリンク）サブフレーム集合（例、ＰＳＳ／ＳＳＳ／ＰＢＣＨなどの送信によって用途変更できない下りリンクサブフレーム集合（すなわち、ＳＦ ＃０、＃１、＃５、＃６））などに限定されるように設定することができる。
【０１０２】
また、それぞれのセル（或いは、ＴＰ）に対する用途変更情報（例、用途変更指示子）には、サブフレームの用途に関する情報（例、ＵＬ−ＤＬ  （Ｒｅ）ｃｏｎｆｉｇｕｒａｔｉｏｎ）に加えて、ｉ）物理的／仮想的セル（或いは、ＴＰ）識別子情報、ii）スペシャルサブフレーム設定情報、iii ）動的変更を適用する端末に対する識別子情報、iv）動的変更を適用する特定端末グループに対するグループ識別子情報、ｖ）個別セル（或いは、ＴＰ）に対する動的変更設定情報、vi）個別セル（或いは、ＴＰ）のＱＣＬ設定情報、vii ）Ｎｏｎ−ｚｅｒｏ Ｐｏｗｅｒ ＣＳＩ−ＲＳ設定情報、viii）Ｚｅｒｏ Ｐｏｗｅｒ ＣＳＩ−ＲＳ設定情報、ix）ＩＭＲ設定情報、ｘ）ＰＱＩフィールドと連動さして定義される情報のうち少なくとも一つを含めることができる。ここで、個別セル（或いは、ＴＰ）に対する動的変更設定情報は、例えば、用途変更された上りリンク／下りリンクサブフレームで特定参照信号（例、ＣＲＳ、ＣＳＩ−ＲＳ）を送信するか否かに関する情報又は／及びＴＭ設定情報（又は、送信技法設定情報）を含むことができる。また、例えば、上述したＰＱＩフィールドと連動して定義される情報は、ｉ）Ｎｕｍｂｅｒ  ｏｆ  ＣＲＳ  Ａｎｔｅｎｎａ  Ｐｏｒｔｓ  ｆｏｒ  ＰＤＳＣＨ  ＲＥ  Ｍａｐｐｉｎｇ（ｃｒｓ−ＰｏｒｔｓＣｏｕｎｔ−ｒ１１）情報、ii）ＣＲＳ  Ｆｒｅｑｕｅｎｃｙ  Ｓｈｉｆｔ  ｆｏｒ  ＰＤＳＣＨ  ＲＥ  Ｍａｐｐｉｎｇ（ｃｒｓ−ＦｒｅｑＳｈｉｆｔ−ｒ１１）情報、iii ）ＭＢＳＦＮ  Ｓｕｂｆｒａｍｅ  Ｃｏｎｆｉｇｕｒａｔｉｏｎ  ｆｏｒ  ＰＤＳＣＨ  ＲＥ  Ｍａｐｐｉｎｇ情報（ｍｂｓｆｎ−ＳｕｂｆｒａｍｅＣｏｎｆｉｇＬｉｓｔ−ｒ１１）、iv）Ｚｅｒｏ  Ｐｏｗｅｒ  ＣＳＩ−ＲＳ  Ｒｅｓｏｕｒｃｅ  Ｃｏｎｆｉｇｕｒａｔｉｏｎ  ｆｏｒ  ＰＤＳＣＨ  ＲＥ  Ｍａｐｐｉｎｇ情報（ｃｓｉ−ＲＳ−ＣｏｎｆｉｇＺＰＩｄ−ｒ１１）、ｖ）ＰＤＳＣＨ  Ｓｔａｒｔｉｎｇ  Ｐｏｓｉｔｉｏｎ  ｆｏｒ  ＰＤＳＣＨ  ＲＥ  Ｍａｐｐｉｎｇ情報（ｐｄｓｃｈ−Ｓｔａｒｔ−ｒ１１）、vi）ＣＳＩ−ＲＳ  Ｒｅｓｏｕｒｃｅ  ｔｈａｔ  ｉｓ  Ｑｕａｓｉ  Ｃｏ−ｌｏｃａｔｅｄ  ｗｉｔｈ  ｔｈｅ  ＰＤＳＣＨ  Ａｎｔｅｎｎａ  Ｐｏｒｔｓ情報（ｑｃｌ−ＣＳＩ−ＲＳ−ＣｏｎｆｉｇＮＺＰＩｄ−ｒ１１）、vii ）ＥＰＤＣＣＨのＲＥ  ＭａｐｐｉｎｇとＥＰＤＣＣＨ  Ａｎｔｅｎｎａ  Ｐｏｒｔ  Ｑｕａｓｉ  Ｃｏ−ｌｏｃａｔｉｏｎ関連設定情報のうち、少なくとも一部或いは全ての情報を含むことができる。
【０１０３】
図１３は、本発明に係る、用途変更情報（例、用途変更指示子）送信の目的で定義されたフォーマットの一例を示す図である。図１３では、任意のセルに対する用途変更情報の送信のためのフォーマットを示しているが、任意の送信ポイント（ＴＰ）に対する用途変更情報の送信のためのフォーマットについても同様の適用が可能である。
【０１０４】
図１３で、用途変更情報のフォーマットを用いて総Ｍ個のセル（或いは、ＴＰ）に対する用途変更情報が送信される状況を仮定しており、該当の情報（すなわち、一つの用途変更情報のフォーマットを用いて現在いくつのセル（或いは、ＴＰ）の用途変更情報が送信されているかに関する情報、或いは一つの用途変更情報のフォーマット上のフィールドのうち、現在いくつのフィールドが用途変更情報送信の用途に用いられているかに関する情報）は、物理的制御チャネル（例、ＥＰＤＣＣＨ／ＰＤＣＣＨ）、物理的データチャネル（例、ＰＤＳＣＨ）、上位層シグナル（例、ＲＲＣ／ＭＡＣ）、或いはシステム情報送信チャネル（例、ＰＢＣＨ／ＳＩＢ／ページング）のいずれか一つを用いて基地局が端末に送信することができる。又は、事前に定義されたフォーマットに基づいて複数のセル（或いは、ＴＰ）に対する用途変更情報（例、用途変更指示子）が送信される場合、基地局は端末に、事前に複数個のセル（或いは、ＴＰ）に対する特定的情報状態をシグナリング（例、ＲＲＣシグナリング）し、事前に定義された規則に従って用途変更情報（例、用途変更指示子）と連動しているセルのセル−特定的（Ｃｅｌｌ−Ｓｐｅｃｉｆｉｃ）情報（或いは、ＴＰのＴＰ−特定的情報）を端末が把握するように設定することができる。
【０１０５】
なお、本発明は、搬送波集成（ＣＡ）技法によって複数のセル（或いは、コンポーネントキャリア）が設定された場合に、複数のセルに対する用途変更情報（例、用途変更指示子）が送信される場合においても拡張して適用することができる。
【０１０６】
例えば、セル特定（Ｃｅｌｌ−ｓｐｅｃｉｆｉｃ）的（或いは、ＴＰ−特定的）情報は、ｉ）事前に定義されたフォーマット上の特定位置の用途変更情報（例、用途変更指示子）と連動している物理的／仮想的セル（或いは、ＴＰ）識別子情報、ii）当該セル（或いは、ＴＰ）のＱＣＬ設定情報、iii ）当該セル（或いは、ＴＰ）のＮｏｎ−ｚｅｒｏ Ｐｏｗｅｒ ＣＳＩ−ＲＳ設定情報、iv）当該セル（或いは、ＴＰ）のＺｅｒｏ Ｐｏｗｅｒ ＣＳＩ−ＲＳ設定情報、ｖ）当該セル（或いは、ＴＰ）のＩＭＲ設定情報、vi）当該セル（或いは、ＴＰ）のＰＤＳＣＨ／（Ｅ）ＰＤＣＣＨ Ｒａｔｅ−Ｍａｔｃｈｉｎｇ設定情報、vii ）ＰＱＩフィールドと連動して定義される情報のうちの少なくとも一つを含むことができる。ここで、ＰＱＩフィールドと連動して定義される情報は、例えば、ｉ）Ｎｕｍｂｅｒ  ｏｆ  ＣＲＳ  Ａｎｔｅｎｎａ  Ｐｏｒｔｓ  ｆｏｒ  ＰＤＳＣＨ  ＲＥ  Ｍａｐｐｉｎｇ（ｃｒｓ−ＰｏｒｔｓＣｏｕｎｔ−ｒ１１）情報、ii）ＣＲＳ  Ｆｒｅｑｕｅｎｃｙ  Ｓｈｉｆｔ  ｆｏｒ  ＰＤＳＣＨ  ＲＥ  Ｍａｐｐｉｎｇ（ｃｒｓ−ＦｒｅｑＳｈｉｆｔ−ｒ１１）情報、iii ）ＭＢＳＦＮ  Ｓｕｂｆｒａｍｅ  Ｃｏｎｆｉｇｕｒａｔｉｏｎ  ｆｏｒ  ＰＤＳＣＨ  ＲＥ  Ｍａｐｐｉｎｇ情報（ｍｂｓｆｎ−ＳｕｂｆｒａｍｅＣｏｎｆｉｇＬｉｓｔ−ｒ１１）、iv）Ｚｅｒｏ  Ｐｏｗｅｒ  ＣＳＩ−ＲＳ  Ｒｅｓｏｕｒｃｅ  Ｃｏｎｆｉｇｕｒａｔｉｏｎ  ｆｏｒ  ＰＤＳＣＨ  ＲＥ  Ｍａｐｐｉｎｇ情報（ｃｓｉ−ＲＳ−ＣｏｎｆｉｇＺＰＩｄ−ｒ１１）、ｖ）ＰＤＳＣＨ  Ｓｔａｒｔｉｎｇ  Ｐｏｓｉｔｉｏｎ  ｆｏｒ  ＰＤＳＣＨ  ＲＥ  Ｍａｐｐｉｎｇ情報（ｐｄｓｃｈ−Ｓｔａｒｔ−ｒ１１）、vi）ＣＳＩ−ＲＳ  Ｒｅｓｏｕｒｃｅ  ｔｈａｔ  ｉｓ  Ｑｕａｓｉ  Ｃｏ−ｌｏｃａｔｅｄ  ｗｉｔｈ  ｔｈｅ  ＰＤＳＣＨ  Ａｎｔｅｎｎａ  Ｐｏｒｔｓ情報（ｑｃｌ−ＣＳＩ−ＲＳ−ＣｏｎｆｉｇＮＺＰＩｄ−ｒ１１）、vii ）ＥＰＤＣＣＨのＲＥ  ＭａｐｐｉｎｇとＥＰＤＣＣＨ  Ａｎｔｅｎｎａ  Ｐｏｒｔ  Ｑｕａｓｉ  Ｃｏ−ｌｏｃａｔｉｏｎ関連設定情報のうち、少なくとも一部或いは全ての情報を含むことができる。
【０１０７】
また、事前に定義されたフォーマット上の用途変更情報（例、用途変更指示子）と追加のシグナリング（例、ＲＲＣシグナリング）によって定義された複数個のセル−特定的（Ｃｅｌｌ−Ｓｐｅｃｉｆｉｃ）（或いは、ＴＰ−Ｓｐｅｃｉｆｉｃ）情報状態との関係は、事前に定義された規則に基づいて決定することができる。例えば、事前に定義されたフォーマット上で総Ｍ個の用途変更情報が送信されるとすれば、基地局は端末に総Ｍ個のセル−特定的（或いは、ＴＰ−特定的）情報状態を設定又はシグナルすることによって、用途変更情報とセル−特定的（或いは、ＴＰ−特定的）情報状態とが順次に一対一マップされるように設定することができる。すなわち、基地局は、Ｊ番目の用途変更情報がＪ番目のセル−特定的（或いは、ＴＰ−特定的）情報状態と連動するように設定することができる。
【０１０８】
また、事前に定義されたフォーマットに基づいてＭ（Ｍは、自然数）個のセル（或いは、ＴＰ）に対する用途変更情報（例、用途変更指示子）が送信される場合、基地局が端末に知らせるセル−特定的（或いは、ＴＰ−特定的）情報は、Ｍ個の状態と定義されてもよく、Ｍよりも少ない個数の状態と定義されてもよい。ここで、事前に定義されたフォーマットに基づいてＭ個のセル（或いは、ＴＰ）に対する用途変更情報（例、用途変更指示子）が送信される場合に、基地局が端末に知らせるセル−特定的（或いは、ＴＰ−特定的）情報がＭよりも少ない個数の状態と定義されるということは、一部のセル（或いは、ＴＰ）が同一のセル−特定的（或いは、ＴＰ−特定的）情報を共有することを意味する。また、このように一部のセル（或いは、ＴＰ）が同一のセル−特定的情報を共有する方式は、任意の時点で実質的に送信される用途変更情報の個数が、基地局が端末に知らせるセル−特定的（或いは、ＴＰ−特定的）情報の個数よりも多い場合にも拡張して適用することができる。
【０１０９】
逆に、事前に定義されたフォーマットに基づいてＭ個のセル（或いは、ＴＰ）に対する用途変更情報（例、用途変更指示子）が送信される場合、基地局が端末に知らせるセル−特定的（或いは、ＴＰ−特定的）情報は、Ｍよりも多い個数の状態と定義されてもよい。この場合は、一部のセル（或いは、ＴＰ）が同一の用途変更情報（或いは、上りリンク−下りリンク設定）を共有する（例、Ｃｅｌｌ  Ｃｌｕｓｔｅｒｉｎｇ  Ｉｎｔｅｒｆｅｒｅｎｃｅ  Ｍｉｔｉｇａｔｉｏｎ  Ｓｃｈｅｍｅが適用された場合に似ている）ということを意味する。これは、一部のセル（或いは、ＴＰ）が同一の用途変更情報を共有する場合、端末のセル（或いは、ＴＰ）別ＲＲＭ／ＲＬＭ／ＣＳＩ測定動作のために、セル（或いは、ＴＰ）別Ｎｏｎ−ｚｅｒｏ Ｐｏｗｅｒ ＣＳＩ−ＲＳ設定情報は一部のセルに対して異なるように設定されたり、或いは全てのセルに対して異なるように設定されてもよく、このような点から、特定Ｎｏｎ−ｚｅｒｏ Ｐｏｗｅｒ ＣＳＩ−ＲＳ情報は、一つの特定セル（或いは、ＴＰ）を暗黙的に示すことができるためである。
【０１１０】
すなわち、基地局が端末に知らせるセル−特定的（或いは、ＴＰ−特定的）情報が、事前に定義されたフォーマットを用いて送信される用途変更情報の個数（例、Ｍ）よりも多いということは、相対的に多い個数と設定されたセル−特定的（或いは、ＴＰ−特定的）情報とそれぞれ連動しているＮｏｎ−ｚｅｒｏ Ｐｏｗｅｒ ＣＳＩ−ＲＳ情報が用途変更情報の個数よりも多いということを意味する。なお、このような意味は、互いに異なるＮｏｎ−ｚｅｒｏ Ｐｏｗｅｒ ＣＳＩ−ＲＳ設定情報で区分されるセル（或いは、ＴＰ）の個数が用途変更情報の個数よりも多い状況を表し、最終的には、一部のセル（或いは、ＴＰ）が同一の用途変更情報（或いは、上りリンク−下りリンク設定）を共有することを意味する。
【０１１１】
また、このように事前に定義されたフォーマットに基づいてＭ個のセルに対する用途変更情報が送信される場合、基地局が端末に知らせるセル−特定的情報がＭよりも多い個数の状態と定義される方式は、任意の時点で実質的に送信される用途変更情報（例、用途変更指示子）の個数が、基地局が端末に知らせるセル−特定的（或いは、ＴＰ−特定的）情報の個数よりも少ない場合にも拡張して適用することができる。
【０１１２】
また、複数のセル（或いは、ＴＰ）に対する用途変更情報（例、用途変更指示子）が送信される事前に定義されたフォーマット上に、特定用途変更情報（例、用途変更指示子）と連動しているセル−特定的（或いは、ＴＰ−特定的）情報がどの状態（Ｓｔａｔｅ）情報に該当するかを知らせるフィールド（或いは、ビット）がさらに定義されてもよい。このような用途変更情報に対する追加的定義は、事前に定義されたフォーマットを通じて送信される用途変更情報の個数と追加のシグナリング（例、ＲＲＣシグナリング）によって定義されるセル−特定的（或いは、ＴＰ−特定的）情報状態（Ｓｔａｔｅ）の個数とが一致しない場合に、これら２つの情報間の関係（例、一対多関係或いは多対一関係）を（流動的に）指定する上で効果的である。
【０１１３】
さらに、基地局が端末に事前に複数個のセル−特定的（或いは、ＴＰ−特定的）情報状態をシグナルし、事前に定義された規則によって用途変更情報（例、用途変更指示子）と連動しているセル（或いは、ＴＰ）のセル−特定的（或いは、ＴＰ−特定的）情報が把握されるようにする規則は、ＰＱＩ Ｓｔａｔｅ（ＰＱＩフィールド値）ごとに上りリンク−下りリンク設定情報を定義することと解釈されてもよく、ＰＱＩ Ｓｔａｔｅ（ＰＱＩフィールド値）とＱＣＬ情報ごとに上りリンク−下りリンク設定情報を定義することと解釈されてもよい。
【０１１４】
また、用途変更情報（例、用途変更指示子）の送信のために事前に定義されたフォーマットが、固定した長さ（ＬTotal）（例えば、固定したＮ（ここで、Ｎは自然数）個の上りリンク−下りリンク（再）設定情報を乗せることができ、（ＬTotal−Ｎ＊Ｓ）のビットは余分として残る（ここで、Ｓは、（特定の一つのセル（或いは、ＴＰ）関連）一つの上りリンク−下りリンク設定情報を表現するために定義されたビット（例えば、３ビット）））を有する場合、仮に、実際にサブフレーム用途変更されるセル／ＴＰ／ＣＣの個数がＮよりも小さいときには（ＬTotal−Ｎ＊Ｓ）の余分ビットと共に、ｉ）使用されない上りリンク−下りリンク（再）設定情報フィールドが発生したり、ii）セル／ＴＰ／ＣＣ−特定的（ｓｐｅｃｉｆｉｃ）情報状態（Ｓｔａｔｅ）が連動されない上りリンク−下りリンク（再）設定情報フィールドが発生したり、iii ）特定セル／ＴＰ／ＣＣと連動しない上りリンク−下りリンク（再）設定情報フィールドが発生する。
【０１１５】
また、用途変更情報（例、用途変更指示子）の送信のために事前に定義されたフォーマット（すなわち、ＬTotalの長さを有するフォーマット）が、固定したＮ（ここで、Ｎは自然数）個の上りリンク−下りリンク（再）設定情報を乗せることができる場合（例えば、ＬTotalはＮ＊Ｓであり、ここで、Ｓは、（特定の一つのセル（或いは、ＴＰ）関連）一つの上りリンク−下りリンク設定情報を表現するために定義されたビット（例えば、３ビット）を有する場合、仮に実際にサブフレーム用途変更されるセル／ＴＰ／ＣＣの個数がＮよりも小さいときには、ｉ）使用されない上りリンク−下りリンク（再）設定情報フィールドが発生したり、ii）セル／ＴＰ／ＣＣ−特定的（ｓｐｅｃｉｆｉｃ）情報状態（Ｓｔａｔｅ）が連動されない上りリンク−下りリンク（再）設定情報フィールドが発生したり、iii ）特定セル／ＴＰ／ＣＣと連動しない上りリンク−下りリンク（再）設定情報フィールドが発生する。例えば、用途変更情報（例、用途変更指示子）の送信のために事前に定義されたフォーマットが８ビットのサイズ（ＬTotal）を有し、特定の一つのセル（或いは、ＴＰ）に対する上りリンク−下りリンク（再）設定情報が３ビットと定義される場合、仮に当該用途変更情報（例、用途変更指示子）送信関連フォーマット上で総２個（すなわち、Ｍが２に設定される）のセル（或いは、ＴＰ）に対する用途変更情報（例、用途変更指示子）が送信されると、当該フォーマット上で実際に使用されないビットは総２ビットとなる。他の例として、用途変更情報（例、用途変更指示子）の送信のために事前に定義されたフォーマットが８ビットのサイズ（ＬTotal）を有し、特定の一つのセル（或いは、ＴＰ）に対する上りリンク−下りリンク（再）設定情報が３ビットと定義される場合、仮に当該用途変更情報（例、用途変更指示子）送信関連フォーマット上で総１個（すなわち、Ｍが１に設定される）のセル（或いは、ＴＰ）に対する用途変更情報（例、用途変更指示子）が送信されると、当該フォーマット上で実際に使用されないビットは総５ビットとなる。
【０１１６】
したがって、本発明では、ｉ）使用されない上りリンク−下りリンク（再）設定情報フィールド、或いはii）セル／ＴＰ／ＣＣ−特定的情報状態（Ｓｔａｔｅ）が連動されない上りリンク−下りリンク（再）設定情報フィールド、或いはiii ）特定セル／ＴＰ／ＣＣと連動しない上りリンク−下りリンク（再）設定情報フィールド、iv）或いは上述した（ＬTotal−Ｎ＊Ｓ）の余分ビットに、用途情報に変更がないセル／ＴＰ／ＣＣのＳＩＢ上の上りリンク−下りリンク設定情報が挿入されるように設定することができる。
【０１１７】
又は、ｉ）使用されない上りリンク−下りリンク（再）設定情報フィールド、或いはii）セル／ＴＰ／ＣＣ−特定的情報状態（Ｓｔａｔｅ）が連動されない上りリンク−下りリンク（再）設定情報フィールド、或いはiii ）特定セル／ＴＰ／ＣＣと連動しない上りリンク−下りリンク（再）設定情報フィールド、iv）或いは上述した（ＬTotal−Ｎ＊Ｓ）の余分ビットに、事前に定義された特定ビット（或いは、値）が挿入されたり、事前にあらかじめ定義された特定状態の情報が挿入されるように設定することもできる。したがって、用途変更情報を指示するフォーマットが、使用されないフィールド及び／又は上述した（ＬTotal−Ｎ＊Ｓ）の余分ビットに、ｉ）事前に定義された特定ビット／値、或いはii）あらかじめ定義された特定状態の情報が挿入されるようにする方法は、端末が該当のフィールド及び／又は上述した（ＬTotal−Ｎ＊Ｓ）の余分ビットをゼロパディング（Ｚｅｒｏ  Ｐａｄｄｉｎｇ）用途或いは仮想（Ｖｉｒｔｕａｌ）ＣＲＣ用途として利用（或いは、解釈）することと見なすことができる。
【０１１８】
また、用途変更情報（例、用途変更指示子）の送信のために用いられる事前に定義されたフォーマット上でゼロパディング用途或いは仮想ＣＲＣ用途に用いられるビット（或いは、フィールド）の長さは、「当該フォーマットの全体長（ＬTotal）−ＦＬＯＯＲ（当該フォーマットの全体長（ＬTotal）／（特定の一つのセル（或いは、ＴＰ）関連）一つの上りリンク−下りリンク設定情報を表現するために定義されたビット長（Ｓ））＊（特定の一つのセル（或いは、ＴＰ）関連）一つの上りリンク−下りリンク設定情報を表現するために定義されたビット長（Ｓ）」から導き出されるように設定することができる。ここで、ＦＬＯＯＲ（Ｘ）は、Ｘよりも大きくない整数と定義（すなわち、切り捨て動作）することができる。すなわち、当該フォーマット上の最後のビット（或いは、ＬＳＢ）を含めて逆順に、「当該フォーマットの全体長（ＬTotal）−ＦＬＯＯＲ（当該フォーマットの全体長（ＬTotal）／（特定の一つのセル（或いは、ＴＰ）関連）一つの上りリンク−下りリンク設定情報を表現するために定義されたビット長（Ｓ））＊（特定の一つのセル（或いは、ＴＰ）関連）一つの上りリンク−下りリンク設定情報を表現するために定義されたビット長さ（Ｓ）」がゼロパディング用途或いは仮想ＣＲＣ用途に用いられる。参考として、このような規則は、特定端末グループが（共通の一つのＲＮＴＩに基づいて）共通の一つの用途変更情報（例、用途変更指示子）送信関連フォーマットをモニタする場合に、（当該端末グループに属する）個別端末が、いくつのセルが搬送波集成（ＣＡ）技法でそれぞれ動作しているかにかかわらず、常に共通の長さ（或いは、位置）のビット（或いは、フィールド）をゼロパディング用途或いは仮想ＣＲＣ用途に保障することができる。
【０１１９】
又は、ｉ）使用されない上りリンク−下りリンク（再）設定情報フィールド、或いはii）セル／ＴＰ／ＣＣ−特定的情報状態（Ｓｔａｔｅ）が連動されない上りリンク−下りリンク（再）設定情報フィールド、或いはiii ）特定セル／ＴＰ／ＣＣと連動しない上りリンク−下りリンク（再）設定情報フィールド、iv）或いは上述した（ＬTotal−Ｎ＊Ｓ）の余分ビットに、当該フォーマットを送信するサービングセル／ＴＰ／ＣＣ（例、ＰＣｅｌｌ、スケジューリングＣｅｌｌ）のＳＩＢ上の上りリンク−下りリンク設定情報が挿入されるように設定することもできる。
【０１２０】
また、端末は、特定用途変更情報（例、用途変更指示子）を受信した場合に、特定用途変更情報と連動しているＮｏｎ−ｚｅｒｏ Ｐｏｗｅｒ ＣＳＩ−ＲＳ設定／ＣＲＳ設定とＱＣＬされたセル／ＴＰ／ＣＣに当該用途変更情報を適用（すなわち、下りリンクのためのブラインドデコーディング観点でＰＤＳＣＨに対して適用）するよう設定することができる。すなわち、端末は、特定用途変更情報（例、用途変更指示子）が適用されるセル／ＴＰ／ＣＣを、特定参照信号のＱＣＬ情報から導き出し、ここで、特定参照信号のＱＣＬ情報は、特定用途変更情報が適用されるセル／ＴＰ／ＣＣを知らせる指示子として解釈されてもよい。
【０１２１】
ここで、特定用途変更情報（例、用途変更指示子）と連動しているＮｏｎ−ｚｅｒｏ Ｐｏｗｅｒ ＣＳＩ−ＲＳ／ＣＲＳ設定情報は、追加のシグナリングで定義されるセル−特定的（或いは、ＴＰ−特定的）情報状態を用いて設定することもできる。特に、端末のセル（或いは、ＴＰ）別ＲＲＭ／ＲＬＭ／ＣＳＩ測定動作のために、セル（或いは、ＴＰ）別Ｎｏｎ−ｚｅｒｏ Ｐｏｗｅｒ ＣＳＩ−ＲＳ設定情報は、一部が互いに異なるように設定されてもよく、全てが互いに異なるように設定されてもよい。このため、特定Ｎｏｎ−ｚｅｒｏ Ｐｏｗｅｒ ＣＳＩ−ＲＳ情報は、一つの特定セル（或いは、ＴＰ）を暗黙的に示すことができる。さらに、仮想セル識別子（Ｖｉｒｔｕａｌ  Ｃｅｌｌ  ＩＤ）がＤＭ−ＲＳ Ｓｃｒａｍｂｌｉｎｇ Ｓｅｅｄの形態である場合には、ＰＵＳＣＨに対しても拡張して適用可能である。
【０１２２】
さらに他の例として、端末が特定用途変更情報（例、用途変更指示子）を受信した場合に、当該情報と連動しているＮｏｎ−ｚｅｒｏ Ｐｏｗｅｒ ＣＳＩ−ＲＳ／ＣＲＳ設定とＱＣＬされたセル／ＴＰ／ＣＣに当該用途変更情報を適用するようにする設定は、ＱＣＬ情報ごとに上りリンク−下りリンク設定情報を定義することと解釈されてもよく、ＱＣＬ情報とＰＱＩ Ｓｔａｔｅ（ＰＱＩフィールド値）ごとに上りリンク−下りリンク設定情報を定義することと解釈されてもよい。
【０１２３】
図１４乃至図１６には、前述したように、本発明に係る、事前に定義されたフォーマットを通じて送信される複数個のセル（或いは、ＴＰ）に対する用途変更情報（例、用途変更指示子）と追加のシグナルによって定義された複数個のセル−特定的（或いは、ＴＰ−特定的）情報状態との連動設定を示す。
【０１２４】
図１４は、本発明に係る事前に定義されたフォーマットを通じて総３個のセル（或いは、ＴＰ）に対する用途変更情報が送信される状況を仮定しており、また、基地局が端末に総３個のセル−特定的（或いは、ＴＰ−特定的）情報状態をシグナルした場合を仮定している。
【０１２５】
図１４で、事前に定義されたフォーマット上のセル（或いは、ＴＰ）＃Ａに対する上りリンク−下りリンク（再）設定情報、セル（或いは、ＴＰ）＃Ｂに対する上りリンク−下りリンク（再）設定情報、セル（或いは、ＴＰ）＃Ｃに対する上りリンク−下りリンク（再）設定情報は順次に、一対一マッピング方法によって、それぞれ異なるセル−特定的（或いは、ＴＰ−特定的）情報状態＃０、セル−特定的（或いは、ＴＰ−特定的）情報状態＃１、セル−特定的（或いは、ＴＰ−特定的）情報状態＃２と連動するように設定されている。
【０１２６】
図１５は、事前に定義されたフォーマットを通じて総３個のセル（或いは、ＴＰ）に対する用途変更情報が送信される状況を仮定しり、また、基地局が端末に総２個のセル−特定的（或いは、ＴＰ−特定的）情報状態をシグナルした場合を仮定している。すなわち、一つのセル−特定的（或いは、ＴＰ−特定的）情報状態が、複数個のセル（或いは、ＴＰ）或いは複数個の用途変更情報に適用される場合を示している。
【０１２７】
図１５で、事前に定義されたフォーマット上のセル（或いは、ＴＰ）＃Ａ、＃Ｂ、＃Ｃに対する上りリンク−下りリンク（再）設定情報は、複数のセル（或いは、ＴＰ）に対する用途変更情報が送信される事前に定義されたフォーマット上に、特定用途変更情報と連動しているセル−特定的（或いは、ＴＰ−特定的）情報がどの状態情報に該当するかを示すフィールド（或いは、ビット）がさらに定義される。これによって、セル（或いは、ＴＰ）＃Ａに対する上りリンク−下りリンク（再）設定情報はセル−特定的（或いは、ＴＰ−特定的）情報状態＃０、セル（或いは、ＴＰ）＃Ｂに対する上りリンク−下りリンク（再）設定情報はセル−特定的（或いは、ＴＰ−特定的）情報状態＃０、セル（或いは、ＴＰ）＃Ｃに対する上りリンク−下りリンク（再）設定情報はセル−特定的（或いは、ＴＰ−特定的）情報状態＃１にそれぞれ連動するように設定されたことを示している。
【０１２８】
図１６は、事前に定義されたフォーマットを通じて総２個のセル（或いは、ＴＰ）に対する用途変更情報（例、用途変更指示子）が送信される状況を仮定し、また、基地局が端末に総３個のセル−特定的（或いは、ＴＰ−特定的）情報状態をシグナルした場合を仮定している。すなわち、複数個のセル−特定的（或いは、ＴＰ−特定的）情報状態が一つの用途変更情報に適用される場合を示しており、これは、一部のセル（或いは、ＴＰ）が同一の用途変更情報（或いは、上りリンク−下りリンク設定）を共有する場合と解釈されてもよい。
【０１２９】
本発明の他の実施例として、ｉ）ＰＱＩ Ｓｔａｔｅ（ＰＱＩフィールド値）とＱＬＣ情報ごとに、或いはii）ＰＱＩ Ｓｔａｔｅ（ＰＱＩフィールド値）ごとに、或いはiii ）ＱＣＬ情報ごとに上りリンク−下りリンク設定情報を指定するように設定することもできる。
【０１３０】
例えば、基地局が端末に知らせる用途変更情報（例、用途変更指示子）が、特定チャネル上の固定したリソース領域で送信されたり或いは固定した時点で送信される場合には、当該チャネルにオーバーヘッドが多く発生するだけでなく、多い用途変更情報が同時に送信される（すなわち、コーディングレート（Ｃｏｄｉｎｇ  Ｒａｔｅ）が相対的に高まる）ことから、該当の用途変更情報の信頼度できる送／受信動作を保障できないという問題が生じうる。特に、用途変更情報がセル−特定的な（Ｃｅｌｌ−Ｓｐｅｃｉｆｉｃ）形態ではなく端末特定的な（ＵＥ−Ｓｐｅｃｉｆｉｃ）形態で送信される場合に、上記の問題は一層深刻化する。
【０１３１】
したがって、本発明では、用途変更情報（例、用途変更指示子）が、特定チャネル上のｉ）事前に定義された複数のリソース領域、或いはii）事前に定義された分離した時間領域、或いはiii ）当該用途変更情報を受信するために事前に定義されたＲＮＴＩなどに基づいて分散して送信されるように設定することもできる。例えば、用途変更情報が（Ｅ）ＰＤＣＣＨ（例、新しく定義されたＤＣＩフォーマット形態或いは既存ＤＣＩフォーマットを再利用する形態）を介して送信される場合、動的変更のために事前に定義された全上りリンク−下りリンク設定候補のうち、一部候補情報は（Ｅ）ＣＣＥ ＃Ａ（或いは、（Ｅ）ＣＣＥ集合＃Ａ）を通じて送信され、残りの候補情報は（Ｅ）ＣＣＥ ＃Ｂ（或いは、（Ｅ）ＣＣＥ集合＃Ｂ）を通じて送信されるように設定することができる。
【０１３２】
また、基地局が端末に複数のＥＰＤＣＣＨ Ｓｅｔを設定した状況では、上述した（Ｅ）ＣＣＥ ＃Ａと（Ｅ）ＣＣＥ ＃Ｂとがそれぞれ異なるＥＰＤＣＣＨ Ｓｅｔ上に存在するように設定されてもよいが、事前に定義された特定の一つのＥＰＤＣＣＨ Ｓｅｔ上に存在するように設定されてもよい。同様に、基地局が端末に複数のＥＰＤＣＣＨ Ｓｅｔを設定した状況では、上述した（Ｅ）ＣＣＥ集合＃Ａと（Ｅ）ＣＣＥ集合＃Ｂがそれぞれ異なるＥＰＤＣＣＨ Ｓｅｔ上に存在するように設定されてもよいが、事前に定義された特定の一つのＥＰＤＣＣＨ Ｓｅｔ上に存在するように設定されてもよい。最終的に、端末は、（Ｅ）ＰＤＣＣＨ上の（Ｅ）ＣＣＥ ＃Ａと（Ｅ）ＣＣＥ ＃Ｂ（或いは、（Ｅ）ＣＣＥ集合＃Ａと（Ｅ）ＣＣＥ集合＃Ｂ）に対するモニタリング動作によって用途変更情報を受信する。
【０１３３】
なお、端末（或いは、端末グループ）／セル（或いは、セルグループ）別に、特定チャネル上で用途変更情報（例、用途変更指示子）を受信するリソースが異なるように定義されてもよい。このため、上述したそれぞれの端末（或いは、端末グループ）／セル（或いは、セルグループ）がモニタリング動作を行う特定チャネル上のリソースに関する情報（或いは、端末／セルグルーピングに関する情報）は、基地局が端末に、事前に定義されたシグナル（例、物理層或いは上位層シグナル）によって知らせることができる。
【０１３４】
また、基地局が送信する用途変更情報（例、用途変更指示子）は、よくないチャネル状態によって端末に正しく受信されないこともある。このため、用途変更情報の受信に対する応答メッセージ（例、ＡＣＫ／ＮＡＣＫ）をさらに定義することもできる。例えば、当該応答メッセージ（例、ＡＣＫ／ＮＡＣＫ）は、端末が特定チャネル上（例、（Ｅ）ＰＤＣＣＨ）で用途変更情報のモニタリング動作を行うリソース（例、（Ｅ）ＣＣＥ ＃Ａと（Ｅ）ＣＣＥ ＃Ｂ）とリンクされた上りリンク制御チャネルリソース（ＰＵＣＣＨ  Ｒｅｓｏｕｒｃｅ）で送信されるように設定したり、端末が特定チャネル上（例、（Ｅ）ＰＤＣＣＨ）で用途変更情報のモニタリング動作を行う時に用いられるリソースのうち、最も低いインデックス（例、Ｌｏｗｅｓｔ  （Ｅ）ＣＣＥ  Ｉｎｄｅｘ）とリンクされた上りリンク制御チャネルリソース（ＰＵＣＣＨ  Ｒｅｓｏｕｒｃｅ）で送信されるように設定することができる。
【０１３５】
具体的に、用途変更情報（例、用途変更指示子）が（Ｅ）ＰＤＣＣＨ上のＬ（ここで、Ｌは自然数）個の（Ｅ）ＣＣＥで送信されると、当該用途変更情報を受信する端末を、事前に定義された規則に従ってＬ個のグループに分割することができる。ここで、端末をＬ個のグループに分割する簡単な方法は、端末の識別子（例、Ｃ−ＲＮＴＩ）をＬでＭＯＤＵＬＯ演算（すなわち、端末の識別子をＬで割った余りの値を導出）を取った後、該結果値に基づいて分割することができる（すなわち、「端末のグループ番号＝（Ｃ−ＲＮＴＩ  ＭＯＤＵＬＯ  Ｌ）」）。他の例として、用途変更情報の受信動作のために事前に定義された識別子をＬでＭＯＤＵＬＯ演算した後、該結果値に基づいて、端末をＬ個のグループに分割することもできる。
【０１３６】
また、個別グループに該当する端末は、それぞれのグループと連動している互いに異なる（Ｅ）ＣＣＥにリンクされた上りリンク制御チャネルリソース（ＰＵＣＣＨ  Ｒｅｓｏｕｒｃｅ）を用いて用途変更情報の受信に対する応答メッセージを送信する。すなわち、それぞれの端末が用途変更情報の受信に失敗する場合に、自身の属したグループにリンクされた上りリンク制御チャネルリソース（ＰＵＣＣＨ  Ｒｅｓｏｕｒｃｅ）を用いて応答メッセージを送信する。例えば、端末がＫ番目（ここで、Ｋは自然数）のグループに属するとすれば、Ｋ番目の（Ｅ）ＣＣＥにリンクされた上りリンク制御チャネルリソース（ＰＵＣＣＨ  Ｒｅｓｏｕｒｃｅ）を用いて応答メッセージを送信することができる。
【０１３７】
さらに、端末が送信する用途変更情報（例、用途変更指示子）の受信に対する応答メッセージは、当該情報の受信に対する成功／失敗（ＡＣＫ／ＮＡＣＫ）の両方を知らせるように設定されてもよいが、当該情報受信の失敗（ＮＡＣＫ）或いは成功（ＡＣＫ）のいずれか一方のみを知らせるように設定されてもよい。例えば、用途変更情報受信の失敗のみを知らせるように設定された場合、端末が当該情報を成功的に受信した場合には応答メッセージを送信せず、基地局は（特定時点に或いは特定時間区間で）端末から応答メッセージの受信がないと、端末が用途変更情報を成功的に受信したと見なすことができる。
【０１３８】
例えば、端末が用途変更情報受信の失敗（ＮＡＣＫ）のみを知らせるように設定された場合、基地局は、Ｋ番目の（Ｅ）ＣＣＥにリンクされた上りリンク制御チャネルリソース（ＰＵＣＣＨ  Ｒｅｓｏｕｒｃｅ）で、Ｋ番目のグループに属する端末からの失敗に対する応答がないと、当該グループの端末がいずれも用途変更情報を成功的に受信したと見なすことができる。ここで、Ｋ番目のグループに属する端末のうち、ＤＲＸ（Ｄｉｓｃｏｎｔｉｎｕｏｕｓ  Ｒｅｃｅｐｔｉｏｎ）状態やＭｅａｓｕｒｅｍｅｎｔ Ｇａｐに属する端末は除外されるように設定することもできる。
【０１３９】
また、用途変更情報（例、用途変更指示子）が事前に定義された分離した時間領域上で特定チャネルを介して送信される場合、動的変更のために事前に定義された全体上りリンク−下りリンク設定候補のうち、一部の候補情報は任意のサブフレーム（例、ＳＦ ＃Ａ）で送信され、残りの候補情報は他のサブフレーム（例、ＳＦ ＃Ｂ）で送信されるように設定することができる。このような設定によって、例えば、搬送波集成（ＣＡ）環境下でクロス−キャリアスケジューリング（ＣＣＳ）が設定されることから、スケジューリングＣｅｌｌ（或いは、ＰＣｅｌｌ）上の特定チャネルを介してスケジュールドセル（Ｓｃｈｅｄｕｌｅｄ  Ｃｅｌｌ）に対する用途変更情報が併せて送信される場合、スケジューリングＣｅｌｌ（或いは、ＰＣｅｌｌ）上の特定チャネルに対するオーバーヘッドを時間領域の側面で分散させることができる。また、端末（或いは、端末グループ）／セル（或いは、セルグループ）／ＴＰ（或いは、ＴＰグループ）別に特定チャネル上で用途変更情報を受信する時点が異なるように定義することができる。
【０１４０】
また、個別端末の用途変更情報（例、用途変更指示子）をモニタするサブフレーム集合が指定されるように設定することもできる。ここで、用途変更情報をモニタするサブフレーム集合に関する情報は、基地局が端末に、事前に定義されたシグナル（例、物理層或いは上位層シグナル）を用いて知らせることができる。
【０１４１】
なお、端末間の用途変更情報（例、用途変更指示子）をモニタするサブフレーム集合は独立して（例えば、異なるように）指定されてもよく、或いは、一部のみが異なるように指定されてもよい。
【０１４２】
追加の例として、事前に定義された特定セル／ＴＰ／ＣＣグループの用途変更情報（例、用途変更指示子）は任意のサブフレーム集合（サブフレーム集合＃Ａ）で送信され、他のセル／ＴＰ／ＣＣグループの用途変更情報は他のサブフレーム集合（サブフレーム集合＃Ｂ）で送信されるように設定（Ｃｏｎｆｉｇｕｒａｔｉｏｎ）することもできる。ここで、このような情報は、基地局が端末に、事前に定義されたシグナル（例、物理層或いは上位層シグナル）を用いて知らせることができる。
【０１４３】
また、用途変更情報（例、用途変更指示子）が、当該情報受信の目的で事前に定義されたＲＮＴＩに基づいて送信される場合、端末は、特定チャネル上で当該ＲＮＴＩを用いて用途変更情報を受信することができる。ここで、用途変更情報受信の目的で定義されたＲＮＴＩは、全ての端末に共通する値と定義されてもよく、或いは端末グループ／セルグループ別に異なるように定義されてもよい。当該ＲＮＴＩに関する情報は、基地局が端末に、事前に定義されたシグナル（例、物理層或いは上位層シグナル）を用いて知らせることができる。
【０１４４】
また、本発明では、上述したセル−特定的（或いは、ＴＰ−特定的）情報又は／及びサブフレームの用途に関する情報（例、ＵＬ−ＤＬ  （Ｒｅ）ｃｏｎｆｉｇｕｒａｔｉｏｎ）は、用途変更情報（例、用途変更指示子）受信の目的で定義された少なくとも一つのＲＮＴＩと連動するように定義することができる。ここで、用途変更情報受信の目的で定義されたＲＮＴＩが複数個である場合、個別ＲＮＴＩは、独立した（例えば、互いに異なる）セル−特定的（或いは、ＴＰ−特定的）情報又は／及びサブフレームの用途に関する情報と連動したり、或いは一部のＲＮＴＩは同一のセル−特定的（或いは、ＴＰ−特定的）情報又は／及びサブフレームの用途に関する情報と連動するように定義されてもよい。また、基地局が端末に、事前に定義されたシグナル（例、物理層或いは上位層シグナル）を用いてＲＮＴＩ設定に関する情報を知らせることもできる。
【０１４５】
以下では、搬送波集成（ＣＡ）が適用される状況下で特定セル上の無線リソース用途を動的に変更する場合、本発明の実施例について説明する。
【０１４６】
搬送波集成（ＣＡ）が適用される場合にも、特定セル上の無線リソース用途を動的に変更するとき、前述した本発明の実施例を適用することができる。しかし、特定セル（或いは、コンポーネントキャリア）の無線リソース用途が当該セルのシステム情報送信チャネル（例、ＰＢＣＨ或いはページング）上で送信される用途変更情報に対するモニタリング動作によって決定されるように設定されると、端末は、ＣＡ環境下でＣＣＳ技法適用の有無に関係なくＳＣｅｌｌに対する独立したシステム情報送信チャネル（例、ＰＢＣＨ或いはページング）のモニタリング動作を行わず、ＳＣｅｌｌ関連用途変更情報を效率的に受信することができない。
【０１４７】
すなわち、ＣＡ環境の下では、端末はＰＣｅｌｌに対するシステム情報送信チャネル（例、ＰＢＣＨ或いはページング）のモニタリング動作を行い、ＳＣｅｌｌに対するシステム情報は、基地局が端末にＲＲＣシグナリングを用いて知らせる。
【０１４８】
したがって、本発明では、ＣＡ環境下でＳＣｅｌｌに対する用途変更情報（例、用途変更指示子）は、ＳＣｅｌｌに対するＭＡＣシグナル（或いは、ＲＲＣシグナル／物理的制御チャネル／物理的データチャネル）を介して送信されるように設定することができる。例えば、ＰＣｅｌｌに対する用途変更情報は、ＳＣｅｌｌとは独立してシステム情報送信チャネル（例、ＰＢＣＨ或いはページング）を介して送信されるように設定することもできる。これは、ＰＣｅｌｌ（或いは、スケジューリングＣｅｌｌ）上で用途変更情報を受信するチャネルの種類とＳＣｅｌｌ（或いは、スケジュールドＣｅｌｌ）上で用途変更情報を受信するチャネルの種類とが独立して（例えば、互いに異なるように）定義されることと解釈することもできる。
【０１４９】
ＣＡ環境下でＣＣＳ技法が適用される場合、スケジューリングＣｅｌｌ（或いは、ＰＣｅｌｌ）上の事前に定義された特定時点の特定チャネルを介してスケジューリングＣｅｌｌ（或いは、ＰＣｅｌｌ）とスケジュールドＣｅｌｌ（或いは、ＳＣｅｌｌ）に対する用途変更情報（例、用途変更指示子）を全て送信するには、当該チャネルに発生するオーバーヘッドが大きすぎる。
【０１５０】
そこで、本発明の他の例として、スケジューリングＣｅｌｌ（或いは、ＰＣｅｌｌ）上の特定チャネルを介して送信されるスケジューリングＣｅｌｌ（或いは、ＰＣｅｌｌ）の用途変更情報（例、用途変更指示子）とスケジュールドＣｅｌｌ（或いは、ＳＣｅｌｌ）の用途変更情報（例、用途変更指示子）とが、事前に定義された分離した時間領域で独立して送信されるように設定することもできる。例えば、事前に定義された特定周期（すなわち、Ｔ）が２０ｍｓの場合、スケジューリングＣｅｌｌ（或いは、ＰＣｅｌｌ）に対する用途変更情報は、当該周期内に属する最初のサブフレーム時点（すなわち、ＳＦ ＃ｎ）で送信され、スケジュールドＣｅｌｌ（或いは、ＳＣｅｌｌ）に対する用途変更情報は、最初のサブフレーム時点から１０ｍｓ以降の時点であるサブフレーム（すなわち、ＳＦ ＃（ｎ＋１０））で送信されるように設定することができる。このような例は、スケジューリングＣｅｌｌ（或いは、ＰＣｅｌｌ）上で用途変更情報が送信される時点とスケジュールドＣｅｌｌ（或いは、ＳＣｅｌｌ）上で用途変更情報が送信される時点間に、事前に定義された時間オフセット値（例、Ｔｉｍｅ  Ｏｆｆｓｅｔ）が適用されることと解釈することもできる。
【０１５１】
さらに、ＣＡ環境下でＣＣＳ技法が適用される場合に、スケジュールドＣｅｌｌに対する用途変更情報（例、用途変更指示子）は、例外としてスケジュールドＣｅｌｌ上の特定時点の特定チャネルを介して送信されるように設定することもできる。
【０１５２】
また、ＣＡ環境下でＣＣＳ技法が適用される場合、スケジューリングＣｅｌｌ（或いは、ＰＣｅｌｌ）上の事前に定義された特定時点の特定チャネルを介してスケジューリングＣｅｌｌ（或いは、ＰＣｅｌｌ）とスケジュールドＣｅｌｌに対する用途変更情報（例、用途変更指示子）の両方が送信されることから、当該チャネルに多くのオーバーヘッドが発生する問題を解決するために、本発明では、セル（或いは、コンポーネントキャリア）別に用途変更情報（例、用途変更指示子）が送信されるサブフレーム時点が異なるように定義することができる。
【０１５３】
例えば、ＣＡ環境下でＣＣＳ技法が適用される場合に、スケジューリングＣｅｌｌ（或いは、ＰＣｅｌｌ）とスケジュールドＣｅｌｌに対する用途変更情報が送信されるセル（或いは、コンポーネントキャリア）は、スケジューリングＣｅｌｌ（或いは、ＰＣｅｌｌ）と指定したり、或いはそれぞれの用途変更情報に該当する個別セル（或いは、コンポーネントキャリア）と指定されるように設定することもできる。
【０１５４】
また、用途変更情報（例、用途変更指示子）が送信されるサブフレーム時点は、ｉ）静的に下りリンク用途に用いられるサブフレームに限定したり、或いはii）ＳＩＢ上の下りリンクサブフレームに限定したり、或いはiii ）事前に定義された特定下りリンクサブフレーム（例、ＰＳＳ／ＳＳＳ／ＰＢＣＨなどの送信によって用途変更できない下りリンクサブフレーム集合（すなわち、ＳＦ ＃０、＃１、＃５、＃６））に制限することができる。
【０１５５】
また、セル間の互いに異なる通信方向によって発生する干渉を緩和させる目的で、一部のセルが全て同一方向の通信を行ったり、部分的に同一方向の通信を行うようにするＣｌｕｓｔｅｒｉｎｇ技法が適用される場合、複数個のセルに対する用途変更情報を、事前に定義された一つのシグナリングで指定するように設定することができる。
【０１５６】
また、セル間の互いに異なる通信方向によって発生する干渉を緩和させる目的で、ｅＩＣＩＣ技法の一つであるＡＢＳ（Ａｌｍｏｓｔ  Ｂｌａｎｋ  Ｓｕｂｆｒａｍｅ）が適用されてもよく、このため、上述した本発明の実施例上のセル（或いは、コンポーネントキャリア）別に用途変更情報が送信されるサブフレーム時点或いは複数個のセルに対する用途変更情報関連シグナルが送信されるサブフレーム時点などがコンフィギュアビリティ（Ｃｏｎｆｉｇｕｒａｂｉｌｉｔｙ）を有するように定義することができ、基地局は端末に、事前に定義されたシグナルを用いてコンフィギュアビリティに関連した情報（例、特定設定を適用するか否かに関する情報、セル（或いは、コンポーネントキャリア）別に用途変更情報が送信されるサブフレーム時点に関する情報）を知らせることができる。
【０１５７】
本発明に対する追加の実施例として、（ＣＡ環境下で）ＮＣＴの場合には、例外として自己スケジューリング（Ｓｅｌｆ−Ｓｃｈｅｄｕｌｉｎｇ）技法が適用されても、用途変更情報（例、用途変更指示子）はＰＣｅｌｌから受信されるように設定することもできる。例えば、ＮＣＴに対する用途変更情報は、物理的制御チャネル（例、ＥＰＤＣＣＨ／ＰＤＣＣＨ）、物理的データチャネル（例、ＰＤＳＣＨ）、上位層シグナル（例、ＲＲＣ／ＭＡＣ）、或いはシステム情報送信チャネル（例、ＰＢＣＨ／ＳＩＢ／ページング）のうち一つを用いて基地局が端末に送信することができる。
【０１５８】
また、本発明によれば、ＩＤＬＥモードにある端末は、特定セルに対するＲＲＭ／ＲＬＭ／ＣＳＩ測定動作又は／及び特定セル関連用途変更情報（例、用途変更指示子）の受信動作を、事前に定義された特定下りリンクサブフレーム（例、ＰＳＳ／ＳＳＳ／ＰＢＣＨなどの送信によって用途変更できない下りリンクサブフレーム集合（すなわち、ＳＦ ＃０、＃１、＃５、＃６））でのみ限定的に行うように設定することができる。
【０１５９】
また、本発明によれば、ＩＤＬＥモードにある端末が特定セルのＲＲＣ ＣＯＮＮＥＣＴＥＤモードに進入したとしても、当該特定セルから用途変更情報（例、用途変更指示子）を独立して受信していない場合には、同様に、ｉ）事前に定義された特定下りリンクサブフレーム（例、ＰＳＳ／ＳＳＳ／ＰＢＣＨなどの送信によって用途変更できない下りリンクサブフレーム集合（すなわち、ＳＦ ＃０、＃１、＃５、＃６））、或いはii）ＳＩＢ上の下りリンクサブフレームでのみ限定的に制御情報（（Ｅ）ＰＤＣＣＨ）関連モニタリング動作を行ったり、データ（ＰＤＳＣＨ）受信動作を行うように設定することができる。
【０１６０】
また、上述した本発明の様々な実施例を用いてセル（或いは、ＴＰ）別用途変更情報（例、上りリンク−下りリンク（再）設定情報）を知らせることもできる。例えば、端末のセル（或いは、ＴＰ）別ＲＲＭ／ＲＬＭ／ＣＳＩ測定動作のために、セル（或いは、ＴＰ）別Ｎｏｎ−ｚｅｒｏ Ｐｏｗｅｒ ＣＳＩ−ＲＳ設定情報は、一部が異なるように設定してもよく、全てが異なるように設定してもよい。このような点から、上記の送信ポイント（或いは、セル）別用途変更情報設定は、Ｎｏｎ−ｚｅｒｏ Ｐｏｗｅｒ ＣＳＩ−ＲＳ設定別に用途変更情報が設定されたものと解釈してもよい。
【０１６１】
さらに、干渉測定リソース（ＩＭＲ）の観点で、特定セル（或いは、ＴＰ）が、当該干渉測定リソースが設定された特定時点のサブフレームを上りリンク（ＵＬ）用途に使用する場合には、端末は当該セル（或いは、ＴＰ）に対する干渉測定（Ｉｎｔｅｒｆｅｒｅｎｃｅ  Ｍｅａｓｕｒｅｍｅｎｔ）を中止することが好ましい。すなわち、特定サブフレームの用途を他のセル（或いは、ＴＰ）が上りリンク−下りリンクのいずれかの目的に用いているかによって、互いに異なる干渉タイプ（例、上りリンク通信による干渉或いは下りリンク通信による干渉）と表されるため、これを考慮し、互いに異なるタイプの干渉が一つの干渉測定リソースに併合されて不正確な一つの干渉測定値として導出されることを防止するためである。
【０１６２】
そこで、本発明では、ｉ）Ｎｏｎ−ｚｅｒｏ Ｐｏｗｅｒ ＣＳＩ−ＲＳ設定情報と干渉測定リソース（ＩＭＲ）間の関係（Ｌｉｎｋａｇｅ）が定義されたり、或いはii）用途変更情報（例、上りリンク−下りリンク（再）設定情報）と干渉測定リソース間の関係（Ｌｉｎｋａｇｅ）が定義されるように設定することができる。ここで、Ｎｏｎ−ｚｅｒｏ Ｐｏｗｅｒ ＣＳＩ−ＲＳ設定情報と干渉測定リソース間の関係、或いは用途変更情報と干渉測定リソース間の関係は、基地局が端末に、事前に定義された追加のシグナル（例、物理層シグナル或いは上位層シグナル）を用いて知らせるように設定したり、或いはチャネル状態情報プロセス（ＣＳＩ  Ｐｒｏｃｅｓｓ）設定情報、ＱＣＬ情報、或いはＰＱＩ情報に基づいて暗黙的に把握されるように設定することができる。
【０１６３】
例えば、ＣＳＩ Ｐｒｏｃｅｓｓ設定情報に基づいて干渉測定を行う場合に、ＵＥは、特定ＣＳＩ Ｐｒｏｃｅｓｓにリンク（ｌｉｎｋ）されたＮｏｎ−ｚｅｒｏ Ｐｏｗｅｒ ＣＳＩ−ＲＳに対応する送信ポイント（或いは、セル）が上りリンクと設定（Ｃｏｎｆｉｇｕｒｅ）されたサブフレームで、当該ＣＳＩ Ｐｒｏｃｅｓｓにリンクされた干渉測定リソース（ＩＭＲ）が存在する場合、当該ＩＭＲにおける測定値を当該ＣＳＩ ＰｒｏｃｅｓｓにおけるＲＩ／ＰＭＩ／ＣＱＩの計算に反映しないで排除するように動作することによって、当該送信ポイント（ＴＰ）が下りリンクと設定された場合に対してのみ干渉測定が行われるように動作することができる。
【０１６４】
他の例として、ＱＣＬ情報に基づいて干渉測定を行う場合に、各ＩＭＲは、少なくとも一つ以上のＮｏｎ−ｚｅｒｏ Ｐｏｗｅｒ ＣＳＩ−ＲＳと連結され、このような場合、ＱＣＬ情報は、ＩＭＲとＮｏｎ−ｚｅｒｏ Ｐｏｗｅｒ ＣＳＩ−ＲＳ間のＱＣＬと見なすことができる。このため、ＩＭＲと連結されたＮｏｎ−ｚｅｒｏ Ｐｏｗｅｒ ＣＳＩ−ＲＳに対応するＴＰ（或いは、セル）が下りリンクである場合には、当該ＩＭＲを有効な測定リソースと見なすが、上りリンクである場合には有効でないものと見なすように動作することができる。
【０１６５】
また、ＰＱＩ情報に基づいて干渉測定を行う場合に、特定送信ポイント（或いは、セル）が下りリンクと設定されたサブフレームでは、当該送信ポイント（ＴＰ）にリンクされたＮｏｎ−ｚｅｒｏ Ｐｏｗｅｒ ＣＳＩ−ＲＳと同じＰＱＩ Ｓｔａｔｅで現れるＺｅｒｏ−ｐｏｗｅｒ ＣＳＩ−ＲＳを把握し、該Ｚｅｒｏ−ｐｏｗｅｒ ＣＳＩ−ＲＳが特定ＩＭＲのリソース要素（ＲＥ）を含むと、該ＩＭＲを有効なものと見なして測定を行うが、当該ＩＭＲを含むＺｅｒｏ−ｐｏｗｅｒ ＣＳＩ−ＲＳと同じＰＱＩ Ｓｔａｔｅで現れる全てのＮｏｎ−ｚｅｒｏ Ｐｏｗｅｒ ＣＳＩ−ＲＳが上りリンクと設定された場合には、当該ＩＭＲは有効でないものと見なすように動作することもできる。
【０１６６】
或いは、上述した暗黙的な規則を適用せず、基地局が明示的な適用規則を事前にシグナリング（Ｓｉｇｎａｌｉｎｇ）してもよい。例えば、個別ＩＭＲに対して、当該ＩＭＲが干渉測定に有効である或いは有効でない条件を指定することができる。特に、干渉測定に有効か否かに関する条件は、各送信ポイント（或いは、セル）が上りリンクと設定されるか或いは下りリンクと設定されるか、若しくは当該送信ポイント（ＴＰ）のＮｏｎ−ｚｅｒｏ Ｐｏｗｅｒ ＣＳＩ−ＲＳ Ｃｏｎｆｉｇｕｒａｔｉｏｎが上りリンクと設定されるか或いは下りリンク（ＤＬ）と設定されるかで表すことができる。例えば、干渉測定について、ＩＭＲ ＃１は、ＴＰ ＃１が下りリンクであり、ＴＰ ＃２が上りリンクである場合に有効であるように条件を設定することができる。
【０１６７】
また、本発明では、用途変更情報（例、用途変更指示子）を、事前に定義された既存の特定ＤＣＩフォーマットを（再）利用して基地局が端末に知らせるように設定することもできる。
【０１６８】
例えば、既存のＤＣＩフォーマットのうち、ＤＣＩフォーマット３／３Ａを（再）利用して用途変更情報を送信するように設定することもできる。ＤＣＩフォーマット３／３Ａの場合、まず、基地局が特定端末に、当該ＤＣＩフォーマット３／３Ａの検出（すなわち、ブラインドデコーディング）に用いられるＲＮＴＩ情報、及び当該ＤＣＩフォーマット３／３Ａ上のどの位置のフィールドが特定端末に割り当てられているかに関するフィールドインデックス（Ｉｎｄｅｘ）情報を、上位層シグナル（例、ＲＲＣシグナリング）を用いて知らせる。このような情報を受信した端末は、共通探索領域（ＣＳＳ）で当該ＤＣＩフォーマット３／３Ａの検出動作を行う又は／及びＤＣＩフォーマット３／３Ａ上の特定位置のフィールドで情報を取得する動作を行う。上述したＤＣＩフォーマット３／３Ａの特性を用いて、基地局は特定端末に、事前に定義されたシグナル（例、上位層シグナル或いは物理層シグナル）を用いて、ＤＣＩフォーマット３／３Ａの特定フィールド（或いは、ＤＣＩフォーマット）が用途変更情報の送信用途へと変更されて用いられるように設定することができる。基地局が特定端末に事前に定義されたシグナルを用いて送信する情報は、次のとおりである。
【０１６９】
・  ＴＰＣ情報送信用途ではなく用途変更情報送信用途に用いられるフィールド位置（或いは、フィールドインデックス）情報
−  例えば、特定端末に対して用途変更情報の送信用途に用いられるフィールドは、一つではなく複数個を設定することができる。すなわち、複数個のフィールドの組合せ或いは複数個のフィールド上のビットの組合せによって用途変更情報の意味が把握されるように事前に設定することができる。
−  例えば、用途変更情報送信用途に用いられるフィールドは、サービングセルの用途変更情報だけでなく、（協調通信に参加する）隣接セルの用途変更情報送信用途に用いられてもよい。
【０１７０】
・  基地局は特定端末に、ＴＰＣ情報送信用途に用いられるフィールドと用途変更情報送信用途に用いられるフィールドを共に設定することもできる。
−  例えば、特定端末は、ＤＣＩフォーマット３／３Ａが任意の時点で検出される場合に、２つの目的の情報（すなわち、ＴＰＣ情報、用途変更情報）を、事前に定義された（それぞれの目的の）フィールドの位置でそれぞれ受信することができる。
−  又は、特定端末は、ＤＣＩフォーマット３／３Ａが任意の時点で検出される場合に、２つの目的の情報（すなわち、ＴＰＣ情報、用途変更情報）を、事前に定義された（それぞれの目的の）フィールドの位置で併せて受信することができる。
【０１７１】
・  ＤＣＩフォーマット３／３Ａの特定フィールドが用途変更情報送信用途へと変更されて用いられる場合に、当該ＤＣＩフォーマット３／３Ａは、共通探索領域ではなく事前に定義された他の探索領域（例、ＵＳＳ）或いは特定制御チャネル（例、ＥＰＤＣＣＨ）で送信されるように設定することもできる。
【０１７２】
・  ＤＣＩフォーマット３／３Ａの特定フィールドが用途変更情報送信用途へて変更されて用いられる場合に、当該ＤＣＩフォーマット３／３Ａの検出に用いられるＲＮＴＩ情報を、特定端末の観点で、ＤＣＩフォーマット３／３Ａを既存の用途（すなわち、ＴＰＣ情報送信）に用いる場合と同一に仮定することができる。又は、ＤＣＩフォーマット３／３Ａの検出に用いられるＲＮＴＩ情報は、特定端末の観点で、ＤＣＩフォーマット３／３Ａを既存の用途（すなわち、ＴＰＣ情報送信）に用いる場合には、基地局が端末に事前に定義されたシグナル（例、物理層シグナル或いは上位層シグナル）を用いてさらに知らせることによって互いに異なるように定義されてもよい。
【０１７３】
また、本発明の更に他の実施例として、用途変更情報（例、用途変更指示子）が事前に定義されたフォーマット（例、ＤＣＩフォーマット３／３Ａ）を通じて送信される場合に、当該フォーマット／用途変更情報と連動しているＣＲＣビットの長さを相対的に長く設定することができる。このようにＣＲＣビットの長さを調整することによって、当該用途変更情報のフォールスアラーム（Ｆａｌｓｅ  Ａｌａｒｍ）確率を相対的に減少させることができる。また、ここで、ＣＲＣビットの長さ／内容に関する情報は、基地局が端末に事前に定義されたシグナル（例、上位層シグナル或いは物理層シグナル）を用いて知らせるように設定することができる。さらに、このような方法及び原理は、用途変更情報が事前に定義されたフォーマットを通じて送信されるいずれの場合にも拡張して適用することができる。
【０１７４】
以下では、本発明に係る、再設定（或いは、再設定情報）（ｒｅｃｏｎｆｉｇｕｒａｔｉｏｎ）のためのシグナリングのうち、明示的なＬ１シグナリングについて説明する。端末のグループは、再設定シグナリングを受信するために共通（Ｅ）ＰＤＣＣＨをモニタする。このため、このようなＬ１シグナリングのための検索領域として共通検索領域（ＣＳＳ）を選択することができる。また、ＣＳＳは、セル−間干渉（ｉｎｔｅｒ−ｃｅｌｌ  ｉｎｔｅｒｆｅｒｅｎｃｅｓ）によって一部のサブフレームで信頼度が低い場合もあるが、端末の連結性（ｃｏｎｎｅｃｔｉｖｉｔｙ）のために、少なくとも一部のサブフレームは、任意のセル内で信頼できるＣＳＳモニタリング（検出）のために保障される必要がある。再設定信号は少数のサブフレーム（略１０ｍｓごとに１回）でのみ送信される必要があるため、ＣＳＳをこのような目的に使用することができる。
【０１７５】
また、再設定信号が送信される一部の選択されたサブフレーム上で、ブラインドデコーディング回数のみを増加させることは好ましくない。仮に、再設定シグナルがＣＳＳ上でＤＣＩフォーマット０或いはＤＣＩフォーマット１Ｃと同じ長さを有するＤＣＩを用いると、追加のブラインドデコーディングを避けることができる。この場合、再設定信号は、基地局（ｅＮＢ）によって設定された互いに異なるＲＮＴＩを用いることによって、上記ＤＣＩ（すなわち、ＤＣＩフォーマット０、１Ｃ）と区別付けることができる。
【０１７６】
したがって、本発明では、上りリンク−下りリンク再設定（ＵＬ−ＤＬ  ｒｅｃｏｎｆｉｇｕｒａｔｉｏｎ）のためのＬ１シグナリングは、共通検索領域（ＣＳＳ）で送信することができる。このような上りリンク−下りリンク再設定信号のフォーマットは、ＤＣＩフォーマット０又はＤＣＩフォーマット１Ｃと設定することができる。基地局（ｅＮＢ）はそれぞれの端末（ＵＥ）に、上りリンク−下りリンク再設定を含むＤＣＩをデコードするために用いられるＲＮＴＩを設定することができる。
【０１７７】
たとえ、新しいＤＣＩがＣＳＳで送信され、端末のグループにそれが受信されるとしても、その内容（ここで、端末に指示される上りリンク−下りリンク設定）が全ての端末に対して同一である必要はない。しかし、受信されたＤＣＩは端末−特定的に解釈されることが好ましい。搬送波集成（ＣＡ）或いはＣｏＭＰを支援する場合に、それぞれの端末は互いに異なるセルに関連付けられてもよいためである。
【０１７８】
本発明では、端末グループ共通ＤＣＩを端末−特定的に解釈するために、ＤＣＩフォーマット３／３Ａで用いられる設定を拡張して適用することができる。すなわち、端末のグループが同一ＤＣＩフォーマット３／３Ａを受信しても、それぞれの端末は、共通に受信されたＤＣＩ上の互いに異なるビット位置から、それと関連したＴＰＣ指示を取得する（ｄｅｒｉｖｅ）ことができる。
【０１７９】
図１７には、本発明で上述した設定を考慮して、上りリンク−下りリンク再設定（或いは、再設定情報）のための新しいＤＣＩを示す。当該ＤＣＩは、複数の上りリンク−下りリンク設定の組合せ（ｃｏｎｃａｔｅｎａｔｉｏｎ）を含むことができる。それぞれの上りリンク−下りリンク設定は特定のセル／ＴＰと関連付けられるように設定され、新しいＤＣＩのモニタリングが行われる前に、基地局が端末にこれに関する情報を送信することができる。このため、それぞれの端末は、基地局（ｅＮＢ）設定及び受信されたＤＣＩに基づいて、隣接セル／ＴＰの上りリンク−下りリンク設定を検出することができる。
【０１８０】
このような動作から、搬送波集成（ＣＡ）が適用される端末は、それぞれのコンポーネントキャリアに対する上りリンク−下りリンク設定が把握でき、ＣｏＭＰが適用される端末は、ＣｏＭＰ測定のためのそれぞれのＴＰに対する上りリンク−下りリンク設定が把握できる。そして、ｎｏｎ−ＣｏＭＰ／ｎｏｎ−ＣＡのための端末の場合は、ＣＳＩ測定のために用い得る隣接セルの上りリンク−下りリンク設定が把握できる。
【０１８１】
したがって、本発明によって複数のセル／ＴＰが常に同一の上りリンク−下りリンク設定を有する場合、ＤＣＩによる上りリンク−下りリンク設定は複数のセル／ＴＰに関連付けられてもよい。
【０１８２】
すなわち、上りリンク−下りリンク再設定（或いは、再設定情報）のための新しいＤＣＩは、複数の上りリンク−下りリンク設定を組み合わせて送信されてもよい。それぞれの上りリンク−下りリンク設定は、基地局の設定によって特定のセル／ＴＰと関連付けられてもよい。上りリンク−下りリンク再設定（或いは、再設定情報）のための新しいＤＣＩは、全ての下りリンクサブフレームで送信されるように設定されなくてもよい。これは、再設定のための最大レート（ｍａｘｉｍｕｍ  ｒａｔｅ）は１０ｍｓに１回であるためである。
【０１８３】
したがって、新しいＤＣＩの送信のために用いられるサブフレームを定義する必要があり、ＵＥは、不要なフォールスアラームを防止するために、定義されたサブフレーム以外の下りリンクサブフレームをモニタしない必要がある。
【０１８４】
基本的に、上りリンク−下りリンク再設定速度は、バックホールリンク速度（ｂａｃｋｈａｕｌ  ｌｉｎｋ  ｓｐｅｅｄ）、適用されるＩＣＩＣ方式（ａｄｏｐｔｅｄ  ＩＣＩＣ  ｓｃｈｅｍｅｓ）、予想トラフィック変動量（ｅｘｐｅｃｔｅｄ  ｔｒａｆｆｉｃ  ｆｌｕｃｔｕａｔｉｏｎｓ）、及び設定変更を適用し得ない既存端末の比率のような様々な要因によって決定される。
【０１８５】
Ｌ１シグナリングによる上りリンク−下りリンク再設定（或いは、再設定情報）は、既存の３ＧＰＰ ＬＴＥ Ｒｅｌ−１１上の端末に対しても端末特定的に設定されてもよい。この場合、再設定ＤＣＩが送信されるサブフレームを決定するにおいてネットワークコンフィギュアビリティが許容されるという長所がある。
【０１８６】
言い換えると、それぞれの基地局（ｅＮＢ）は、上りリンク−下りリンク再設定のための新しいＤＣＩを送信するサブフレームの周期及びオフセットを設定することができる。ここで、周期は、上述した要因を考慮した再設定速度に基づいて決定されてもよい。
【０１８７】
また、オフセットは、再設定ＤＣＩ送信がセル−間干渉（ｉｎｔｅｒ−ｃｅｌｌ  ｉｎｔｅｒｆｅｒｅｎｃｅ）を避け得るように決定されてもよい。例えば、オフセットは、隣接セルのＡＢＳ設定を考慮して決定されたり、隣接セルの再設定信号のためのサブフレームと時間差が出るように決定されてもよい。
【０１８８】
ネットワークモニタリング及び制御信号受信と関連して、上りリンク−下りリンク再設定のための新しいＤＣＩをデコードした後、端末は、互いに異なるように定義された２つの上りリンク／下りリンクサブフレームを把握することができる。
【０１８９】
その一つは、ＳＩＢ上の上りリンク−下りリンク設定による定義であり、もう一つは、新しいＤＣＩによって定義された上りリンク−下りリンク設定である。
【０１９０】
普通の（Ｅ）ＰＤＣＣＨ／ＰＤＳＣＨ／ＰＵＳＣＨ−関連端末の動作は、新しいＤＣＩ上で定義された設定に従うことができる。例えば、端末は、上りリンク−下りリンク再設定のための新しいＤＣＩによって指示された、セル／ＴＰと関連した下りリンクサブフレーム或いはスペシャルサブフレーム上でのみ（Ｅ）ＰＤＣＣＨ及びＰＤＳＣＨをモニタすることができる。
【０１９１】
なお、上りリンク制御情報（例、ＵＬ  Ｇｒａｎｔ）をモニタする場合にも同一の方式を適用することができる。また、仮に、新しいＤＣＩによってセル／ＴＰと関連したと示された下りリンク／スペシャルサブフレームがＰＵＳＣＨ送信のためにスケジュールされていると、端末は、検出された上りリンク制御情報を廃棄（ｄｉｓｃａｒｄ）することができる。このような方式によって不要なフォールスアラーム及び端末の誤動作（ｍｉｓｂｅｈａｖｉｏｒ）を避けることができる。
【０１９２】
上述した本発明の例／実施例／具現方法は、本発明で提案する、課題を解決するための手段の一つとして含めることができ、本発明の一実施の形態として具現することができるということは明らかである。また、上述した本発明の実施例は、独立して具現することもできるが、一部の実施例の組合せ或いは併合の形態として具現することもできる。
【０１９３】
また、上述した本発明の実施例／規則／設定に関する情報、或いは当該実施例／規則／設定を適用するか否かに関する情報などは、基地局が端末に事前に定義されたシグナル（例、物理層或いは上位層シグナル）を用いて知らせることができる。
【０１９４】
なお、本発明の実施例は、無線リソース用途の動的変更モードが設定された場合にのみ限定的に適用されるように設定することができる。
【０１９５】
さらに、上述した実施例においてＱＣＬ情報は、「ＰＤＳＣＨのデコーディングに用いられる特定参照信号（例、ＤＭ−ＲＳ）と事前に定義された他の参照信号（例、ＣＳＩ−ＲＳ、ＣＲＳ）間のＱＣＬ情報」、又は／及び「ＥＰＤＣＣＨのデコーディングに用いられる特定参照信号（例、ＤＭ−ＲＳ）と事前に定義された他の参照信号（例、ＣＳＩ−ＲＳ、ＣＲＳ）間のＱＣＬ情報」と解釈することができる。
【０１９６】
本発明を説明するために述べた本発明の例／実施例／方法などは、本発明を具現するための一つの例であり、本発明が解決しようとする技術的課題の解決手段に該当することは明らかである。
【０１９７】
以上で説明した本発明の様々な実施例は、それぞれ独立して実施されてもよいが、場合によって、上述した本発明の少なくとも一つの実施例の一部が結合して実施されたり、全て結合して実施される場合も、本発明で提示する技術的課題の解決手段の範囲内に含まれることは明らかである。
【０１９８】
図１８は、本発明の好適な実施例に係る下りリンク制御情報の受信方法を示す図である。
【０１９９】
図１８を参照すると、端末（ＵＥ）は基地局（ＢＳ）から、無線リソースに対する用途変更情報、例えば、用途変更指示子或いは無線リソースの再設定に関連した下り情報を受信する（Ｓ１８０１）。
【０２００】
すなわち、図１８の段階Ｓ１８０１で、端末は基地局から、前述した本発明の一実施例に係る無線リソースの用途変更に関連した情報を受信することができる。Ｓ１８０１で、無線リソースの用途変更／再設定と関連情報／設定／規則などは、上述した本発明の実施例で説明したとおりに設定することができ、場合によっては、上述した本発明の実施例の少なくとも一部の組合せで決定することもできる。
【０２０１】
図１８と関連して説明した本発明の搬送波集成を用いた通信方法において、前述した本発明の様々な実施例で説明した事項が独立して適用されてもよく、又は２以上の実施例が同時に適用されてもよい。ここで、重複する内容についての説明は、明確性のために省略する。
【０２０２】
図１９は、本発明の実施例に適用可能な基地局及びユーザ機器を例示する図である。無線通信システムにリレーが含まれる場合、バックホールリンクでは基地局とリレー間に通信がなされ、アクセスリンクではリレーとユーザ機器間に通信がなされる。したがって、図中の基地局又はユーザ機器は、状況に応じてリレーに取り替えることができる。
【０２０３】
図１９を参照すると、無線通信システムは、基地局（ＢＳ）１９１０及びユーザ機器（ＵＥ）１９２０を備える。基地局１９１０は、プロセッサ１９１２、メモリ１９１４及び無線周波数（Ｒａｄｉｏ  Ｆｒｅｑｕｅｎｃｙ、ＲＦ）ユニット１９１６を備える。プロセッサ１９１２は、本発明で提案した手順及び／又は方法を具現するように構成することができる。メモリ１９１４は、プロセッサ１９１２と接続され、プロセッサ１９１２の動作と関連した様々な情報を記憶する。ＲＦユニット１９１６は、プロセッサ１９１２と接続され、無線信号を送信及び／又は受信する。ユーザ機器１９２０は、プロセッサ１９２２、メモリ１９２４及びＲＦユニット１９２６を備える。プロセッサ１９２２は、本発明で提案した手順及び／又は方法を具現するように構成することができる。メモリ１９２４は、プロセッサ１９２２と接続され、プロセッサ１９２２の動作と関連した様々な情報を記憶する。ＲＦユニット１９２６は、プロセッサ１９２２と接続され、無線信号を送信及び／又は受信する。基地局１９１０及び／又はユーザ機器１９２０は、単一アンテナ又は多重アンテナを有することができる。
【０２０４】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０２０５】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２０６】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。メモリユニットは、プロセッサの内部又は外部に設けられ、既に公知の様々な手段によってプロセッサとデータを交換することができる。
【０２０７】
本発明は、本発明の特徴から逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の等価的な範囲内における変更はいずれも本発明の範囲に含まれる。
【産業上の利用可能性】
【０２０８】
上述したような無線通信システムにおいて下りリンク制御情報を受信する方法及びそのための装置は、３ＧＰＰ ＬＴＥシステムに適用される例を中心に説明したが、３ＧＰＰ ＬＴＥシステムの他にも、様々な無線通信システムに適用することができる。
【図１１】
2016514382.tif 000009
【図１】
2016514382.tif 000010
【図２】
2016514382.tif 000011
【図３】
2016514382.tif 000012
【図４】
2016514382.tif 000013
【図５】
2016514382.tif 000014
【図６】
2016514382.tif 000015
【図７】
2016514382.tif 000016
【図８】
2016514382.tif 000017
【図９】
2016514382.tif 000018
【図１０】
2016514382.tif 000019
【図１２】
2016514382.tif 000020
【図１３】
2016514382.tif 000021
【図１４】
2016514382.tif 000022
【図１５】
2016514382.tif 000023
【図１６】
2016514382.tif 000024
【図１７】
2016514382.tif 000025
【図１８】
2016514382.tif 000026
【図１９】
2016514382.tif 000027
【国際調査報告】
2016514382.tif 000028
2016514382.tif 000029
2016514382.tif 000030
2016514382.tif 000031